(57)【要約】      （修正有）【課題】治験における電子的インフォームド・コンセント・プロセスを管理するための方法およびシステムが提供される。【解決手段】本方法は、治験における電子的インフォームド・コンセント・プロセスと関連付けられた内容を読むのに参加者によって費やされた時間を追跡するステップ７０４と、内容を読むのに費やされた時間を、内容を読むための所定の予想時間と比較するステップ７０６と。費やされた時間と所定の予想時間との間の差が時間差閾値を満たさなければ、費やされた時間におけるずれを検出するステップと７０８、電子的インフォームド・コンセント・プロセスに対するずれの影響を軽減するために、動作をトリガするステップ７１０を含む。【選択図】図７
2018022479.tif 000002
【特許請求の範囲】
【請求項１】
治験における電子的インフォームド・コンセント・プロセスを管理するための方法であって、前記方法は、
プロセッサによって、前記電子的インフォームド・コンセント・プロセスと関連付けられた内容を読むのに参加者によって費やされた時間を追跡するステップ（７０４、８０６）と、
前記プロセッサによって、前記内容を読むのに費やされた前記時間を前記内容を読むための所定の予想時間と比較するステップ（７０６、８０８）と、
前記プロセッサによって、費やされた前記時間と前記所定の予想時間との差が時間差閾値を満たさなければ、ずれを検出するステップ（７０８、８１０）と、
前記プロセッサによって、前記電子的インフォームド・コンセント・プロセスに対する前記ずれの影響を軽減するために、前記電子的インフォームド・コンセント・プロセスの間に動作をトリガするステップ（７１０；８１４‐８１６）と
を備える、方法。
【請求項２】
前記プロセッサによって、前記内容を読むための前記所定の予想時間を決定するステップをさらに備え、前記決定するステップは、
１つ以上の前の電子的インフォームド・コンセント・プロセスの間に前記参加者が前記内容を読んだ過去の記録データ、
前記電子的インフォームド・コンセント・プロセスの前の参加者が前記内容を読むときに費やした時間から決定された、前記内容を読むための平均時間推定値、および
前記内容、前記参加者および前記内容を読むことに関する１つ以上のパラメータ
のうちの少なくとも１つに基づく、
請求項１に記載の方法。
【請求項３】
前記内容と関連付けられた内容部分をそれぞれの内容部分の性質に基づいて複数のゾーンへ分類するステップをさらに備え、前記内容を読むための前記所定の予想時間は、少なくとも部分的に、前記内容部分の前記複数のゾーンへの分類に基づいて決定される、請求項１または２に記載の方法。
【請求項４】
１つ以上の前の電子的インフォームド・コンセント・プロセスにおける前記参加者の参加データに基づいて前記参加者を、前記プロセッサによって、１つのグループへ割り当てるステップをさらに備え、前記内容を読むための前記所定の予想時間は、少なくとも部分的に、前記参加者へ割り当てられた前記グループに基づいて決定される、請求項１から３のいずれか一項に記載の方法。
【請求項５】
前記プロセッサによって、前記電子的インフォームド・コンセント・プロセスの間の前記参加者のパフォーマンスが前記参加者から予想されたパフォーマンスとは異なるならば、前記参加者の前記グループを変更するステップ
をさらに備える、請求項４に記載の方法。
【請求項６】
前記内容を読んでいる間に前記参加者によって行われる動作をモニタするステップと、
前記モニタされた動作から前記ずれの理由を決定するステップと
をさらに備える、請求項１から５のいずれか一項に記載の方法。
【請求項７】
前記プロセッサによって、前記内容を読むのに費やされた前記時間に、少なくとも部分的に基づいて、残りの電子的インフォームド・コンセント・プロセスを完了するために残された時間、前記電子的インフォームド・コンセント・プロセスにおいて次の段階に到達するための時間、および前記電子的インフォームド・コンセント・プロセスを完了するための合計時間のうちの少なくとも１つを推定するステップ
をさらに備える、請求項１から６のいずれか一項に記載の方法。
【請求項８】
前記内容は、
電子的インフォームド・コンセント書式の１つ以上のセクション、および
前記電子的インフォームド・コンセント書式の１つ以上の質問
のうちの少なくとも１つを備える、請求項１から７のいずれか一項に記載の方法。
【請求項９】
前記動作をトリガするステップは、前記ずれをレポートするために通知を前記電子的インフォームド・コンセント・プロセスのコーディネーターに提供するステップを備える、請求項１から８のいずれか一項に記載の方法。
【請求項１０】
前記参加者と前記コーディネーターとの間に通信を確立するステップをさらに備える、請求項９に記載の方法。
【請求項１１】
前記通知は、
参加者位置情報、
参加者識別情報、
前記ずれの理由、および
前記コーディネーターが前記検出されたずれに応答して前記参加者を補助することを可能にするためのセルフヘルプ・セクションへのリンク
のうちの少なくとも１つを備える、請求項９に記載の方法。
【請求項１２】
治験における電子的インフォームド・コンセント・プロセスを管理するためのシステム（２００）であって、前記システムは、
少なくとも１つのプロセッサ（２０２）、および
コンピュータプログラムコード（２０５）を備える少なくとも１つのメモリ（２０４）を備え、前記少なくとも１つのメモリ（２０４）および前記コンピュータプログラムコード（２０５）は、前記少なくとも１つのプロセッサ（２０２）とともに、前記システム（２００）に、少なくとも、
電子的インフォームド・コンセント書式の１つのセクションを読むのに参加者によって費やされた時間を追跡し、
前記セクションを読むのに費やされた前記時間を前記セクションを読むための所定の予想時間と比較し、
前記費やされた時間と前記所定の予想時間との間の差が時間差閾値を満たさなければ、ずれを検出し、
前記電子的インフォームド・コンセント・プロセスに対する前記ずれの影響を軽減するために、前記電子的インフォームド・コンセント・プロセスの間に動作をトリガする
ことを行わせるように構成された、
システム（２００）。
【請求項１３】
前記システムは、さらに、
１つ以上の前の電子的インフォームド・コンセント・プロセスの間に前記参加者が１つのセクションを読んだ過去の記録データ、
前記電子的インフォームド・コンセント・プロセスの前の参加者が前記セクションを読むのに費やした時間から決定された前記セクションを読むための平均時間推定値、および
前記セクション、前記参加者および前記読むことに関する１つ以上のパラメータ
のうちの少なくとも１つに基づいて前記セクションを読むための前記所定の予想時間を決定するようにされた、請求項１２に記載のシステム。
【請求項１４】
前記システムは、さらに、少なくとも部分的に、
前記セクションと関連付けられた内容の性質に基づいて前記電子的インフォームド・コンセント書式の前記セクションを複数のゾーンのうちからの１つのゾーンへ分類するようにされ、前記電子的インフォームド・コンセント書式の前記セクションを読むための前記所定の予想時間は、少なくとも部分的に、前記ゾーンに基づいて決定される、
請求項１２または１３に記載のシステム。
【請求項１５】
前記システムは、さらに、少なくとも部分的に、
１つ以上の前の電子的インフォームド・コンセント・プロセスにおける前記参加者の参加データに基づいて前記参加者を１つのグループへ割り当てるようにされ、前記電子的インフォームド・コンセント書式の前記セクションを読むための前記所定の予想時間は、少なくとも部分的に、前記参加者へ割り当てられた前記グループに基づいて決定される、
請求項１２から１４のいずれか一項に記載のシステム。
【請求項１６】
前記システムは、さらに、少なくとも部分的に、
前記セクションを読んでいる間に前記参加者によって行われる動作をモニタして、
前記モニタされた動作から前記ずれの理由を決定する
ようにされた、請求項１２から１５のいずれか一項に記載のシステム。
【請求項１７】
前記システムは、さらに、少なくとも部分的に、
前記ずれをレポートするために通知を前記電子的インフォームド・コンセント・プロセスのコーディネーターに提供する
ようにされた、請求項１２から１６のいずれか一項に記載のシステム。
【請求項１８】
前記システムは、さらに、少なくとも部分的に、
前記参加者と前記コーディネーターとの間に通信を確立する
ようにされた、請求項１７に記載のシステム。
【請求項１９】
前記通知は、
参加者位置情報、
参加者識別情報、
前記ずれの理由、および
前記コーディネーターが前記検出されたずれに応答して前記参加者を補助することを可能にするためのセルフヘルプ・セクションへのリンク
のうちの少なくとも１つを備える、請求項１７に記載のシステム。
【請求項２０】
治験における電子的インフォームド・コンセント・プロセスを管理するためのシステムであって、前記システムは、
電子的インフォームド・コンセント書式の１つのセクションを読むときに参加者によって費やされた時間を追跡するための費やされた時間追跡器（３０２）、
前記セクションを読むのに費やされた前記時間を前記セクションを読むための所定の予想時間と比較するための比較器（３０６）、
前記費やされた時間と前記所定の予想時間との間の差が時間差閾値を満たさなければ、ずれを検出するためのずれ検出器（３０８）、および
前記電子的インフォームド・コンセント・プロセスに対する前記ずれの影響を軽減するために、前記電子的インフォームド・コンセント・プロセスの間に動作をトリガするための動作トリガリング・ユニット（３１０）
を備える、システム。
【請求項２１】
前記システムは、前記セクションを読むための前記所定の予想時間を決定するための所定予想時間決定器をさらに備え、前記決定は、
１つ以上の前の電子的インフォームド・コンセント・プロセスの間に前記参加者が１つのセクションを読んだ過去の記録データ、
前記電子的インフォームド・コンセント・プロセスの前の参加者が前記セクションを読むのに費やした時間から決定された前記セクションを読むための平均時間推定値、および
前記セクション、前記参加者、および前記読むことに関する１つ以上のパラメータ
のうちの少なくとも１つに基づく、
請求項２０に記載のシステム。
【請求項２２】
前記システムは、
前記電子的インフォームド・コンセント書式の前記セクションを読んでいる間に前記参加者によって行われる動作をモニタするための参加者追跡器、および
前記モニタされた動作から前記ずれの理由を決定するためのずれ理由決定器
をさらに備える、請求項２０に記載のシステム。
【請求項２３】
電子デバイス（９００）であって、
ディスプレイ（９３４）、
少なくとも１つのプロセッサ（９０２）、および
治験における電子的インフォームド・コンセント・プロセスと関連付けられた電子的インフォームド・コンセント・アプリケーション（９０６）に対応するコンピュータプログラムコードを備える少なくとも１つのメモリ（９０８、９１０）
を備え、
前記少なくとも１つのメモリ（９０８、９１０）および前記コンピュータプログラムコードは、前記少なくとも１つのプロセッサ（９０２）とともに、前記電子デバイス（９００）に、少なくとも、
電子的インフォームド・コンセント書式に対応する１つ以上のユーザインターフェースを表示し、
前記電子的インフォームド・コンセント書式の１つのセクションを読むのに参加者によって費やされた時間を追跡し、
前記セクションを読むのに費やされた前記時間を前記セクションを読むための所定の予想時間と比較し、
前記費やされた時間と前記所定の予想時間との間の差が時間差閾値を満たさなければ、ずれを検出し、
前記電子的インフォームド・コンセント・プロセスに対する前記ずれの影響を軽減するために、前記電子的インフォームド・コンセント・プロセスの間に動作をトリガする
ことを行わせるように構成された、
電子デバイス（９００）。
【請求項２４】
前記電子デバイスは、さらに、
１つ以上の前の電子的インフォームド・コンセント・プロセスの間に前記参加者が１つのセクションを読んだ過去の記録データ、
前記電子的インフォームド・コンセント・プロセスの前の参加者が前記セクションを読むのに費やした時間から決定された前記セクションを読むための平均時間推定値、および
前記セクション、前記参加者および前記読むことに関する１つ以上のパラメータ
のうちの少なくとも１つに基づいて前記セクションを読むための前記所定の予想時間を決定するようにされた、請求項２３に記載の電子デバイス。
【請求項２５】
前記電子デバイスは、さらに、少なくとも部分的に、
前記セクションと関連付けられた内容の性質に基づいて前記電子的インフォームド・コンセント書式の前記セクションを複数のゾーンのうちからの１つのゾーンへ分類するようにされ、前記電子的インフォームド・コンセント書式の前記セクションを読むための前記所定の予想時間は、少なくとも部分的に、前記ゾーンに基づいて決定される、
請求項２３または２４に記載の電子デバイス。
【請求項２６】
前記電子デバイスは、さらに、少なくとも部分的に、
１つ以上の前の電子的インフォームド・コンセント・プロセスにおける前記参加者の参加データに基づいて前記参加者を１つのグループに割り当てるようにされ、前記電子的インフォームド・コンセント書式の前記セクションを読むための前記所定の予想時間は、少なくとも部分的に、前記参加者へ割り当てられた前記グループに基づいて決定される、
請求項２３から２５のいずれか一項に記載の電子デバイス。
【請求項２７】
前記電子デバイスは、さらに、少なくとも部分的に、
前記セクションを読んでいる間に前記参加者によって行われる動作をモニタして、
前記モニタされた動作から前記ずれの理由を決定する
ようにされた、請求項２３から２６のいずれか一項に記載の電子デバイス。
【請求項２８】
前記電子デバイスは、さらに、少なくとも部分的に、
前記ずれをレポートするために通知を前記電子的インフォームド・コンセント・プロセスのコーディネーターに提供する
ようにされた、請求項２３から２７のいずれか一項に記載の電子デバイス。
【請求項２９】
前記電子デバイスは、さらに、少なくとも部分的に、
前記参加者と前記コーディネーターとの間に通信を確立する
ようにされた、請求項２８に記載の電子デバイス。
【請求項３０】
前記通知は、
参加者位置情報、
参加者識別情報、
前記ずれの理由、および
前記コーディネーターが前記検出されたずれに応答して前記参加者を補助することを可能にするためのセルフヘルプ・セクションへのリンク
のうちの少なくとも１つを備える、請求項２８に記載の電子デバイス。
【請求項３１】
前記電子デバイスは、参加者デバイスに対応する、請求項２３から３０のいずれか一項に記載の電子デバイス。
【請求項３２】
前記電子デバイスは、モバイルフォン、スマートフォン、タブレットコンピュータ、電子キオスク、ラップトップコンピュータ、ウェアラブルデバイス、デスクトップコンピュータおよび携帯情報端末のうちの１つである、請求項２３から３０のいずれか一項に記載の電子デバイス。
【請求項３３】
命令のセットを備えるコンピュータプログラムであって、前記命令は、１つ以上のプロセッサ（９０２）によって実行されたときに、電子デバイス（９００）に、少なくとも、
電子的インフォームド・コンセント・プロセスの間に前記電子デバイス（９００）上に表示された電子的インフォームド・コンセント書式の１つのセクションを読むのに参加者によって費やされた時間を追跡し、
前記セクションを読むのに費やされた前記時間を前記セクションを読むための所定の予想時間と比較し、
前記費やされた時間と前記所定の予想時間との間の差が時間差閾値を満たさなければ、ずれを検出して、
前記電子的インフォームド・コンセント・プロセスに対する前記ずれの影響を軽減するために、前記電子的インフォームド・コンセント・プロセスの間に動作をトリガする
ことを行うようにさせる、コンピュータプログラム。
【請求項３４】
前記電子デバイスは、さらに、少なくとも部分的に、
１つ以上の前の電子的インフォームド・コンセント・プロセスの間に前記参加者が１つのセクションを読んだ過去の記録データ、
前記電子的インフォームド・コンセント・プロセスの前の参加者が前記セクションを読むときに費やした時間から決定された前記セクションを読むための平均時間推定値、および
内容、前記参加者および前記読むことに関する１つ以上のパラメータ
のうちの少なくとも１つに基づいて前記セクションを読むための前記所定の予想時間を決定するようにされた、請求項３３に記載のコンピュータプログラム。
【請求項３５】
前記電子デバイスは、さらに、少なくとも部分的に、
内容と関連付けられた内容部分をそれぞれの内容部分の性質に基づいて複数のゾーンへ分類するようにされ、前記セクションを読むための前記所定の予想時間は、少なくとも部分的に、前記内容部分の前記複数のゾーンへの分類に基づいて決定される、
請求項３３または３４に記載のコンピュータプログラム。
【請求項３６】
前記電子デバイスは、さらに、少なくとも部分的に、
１つ以上の前の電子的インフォームド・コンセント・プロセスにおける前記参加者の参加データに基づいて前記参加者を１つのグループに割り当てるようにされ、前記セクションを読むための前記所定の予想時間は、少なくとも部分的に、前記参加者へ割り当てられた前記グループに基づいて決定される、
請求項３３から３５のいずれか一項に記載のコンピュータプログラム。
【請求項３７】
前記電子デバイスは、さらに、少なくとも部分的に、
前記電子的インフォームド・コンセント・プロセスの間の前記参加者のパフォーマンスが前記参加者から期待されたパフォーマンスとは異なれば、前記参加者の前記グループを変更するようにされた、
請求項３６に記載のコンピュータプログラム。
【請求項３８】
前記電子デバイスは、さらに、少なくとも部分的に、
前記セクションを読んでいる間に前記参加者によって行われる動作をモニタして、
前記モニタされた動作から前記ずれの理由を決定する
ようにされた、請求項３３から３７のいずれか一項に記載のコンピュータプログラム。
【請求項３９】
前記電子デバイスは、さらに、少なくとも部分的に、
前記セクションを読むのに費やされた前記時間に、少なくとも部分的に、基づいて残りの電子的インフォームド・コンセント・プロセスを完了するために残された時間、前記電子的インフォームド・コンセント・プロセスにおいて次の段階に到達するための時間、および前記電子的インフォームド・コンセント・プロセスを完了するための合計時間のうちの少なくとも１つを推定する
ようにされた、請求項３３から３８のいずれか一項に記載のコンピュータプログラム。
【請求項４０】
前記動作をトリガするために、前記電子デバイスは、さらに、少なくとも部分的に、
前記ずれをレポートするために通知を前記電子的インフォームド・コンセント・プロセスのコーディネーターに提供する
ようにされた、請求項３３から３９のいずれか一項に記載のコンピュータプログラム。
【請求項４１】
前記電子デバイスは、さらに、少なくとも部分的に、
前記参加者と前記コーディネーターとの間に通信を確立する
ようにされた、請求項４０に記載のコンピュータプログラム。
【請求項４２】
前記通知は、
参加者位置情報、
参加者識別情報、
前記ずれの理由、および
前記コーディネーターが前記検出されたずれに応答して前記参加者を補助することを可能にするためのセルフヘルプ・セクションへのリンク
のうちの少なくとも１つを備える、請求項４０に記載のコンピュータプログラム。
【発明の詳細な説明】
【技術分野】
【０００１】
本出願は、一般に、治験におけるインフォームド・コンセントに関し、より詳しくは、治験における電子的インフォームド・コンセント・プロセスを管理するための方法およびシステムに関する。
【背景技術】
【０００２】
インフォームド・コンセント・プロセスは、参加者が、治験に参加するための参加者の決定に係る治験のすべての態様を知らされた後に、治験に参加する自らの意志を自発的に確認するプロセスである。インフォームド・コンセント・プロセスは、規制されたプロセスであり、異なる管轄は、インフォームド・コンセント・プロセスに対して異なる必要条件を提示してきた。典型的に、治験において参加者に示される情報、インフォームド・コンセントを得るために用いられるプロセス、およびインフォームド・コンセント・プロセスの文書化は、適用可能な必要条件のうちでも特に、これらの必要条件を満たさなければならない。
【０００３】
長年にわたって、高度に規制されたインフォームド・コンセント・プロセスには、参加者のより良好な募集および維持をサポートするための改善があまり見られなかった。さらに、インフォームド・コンセントは、規制当局によって引合いに出されることが相変わらず最も多い不備のうちの１つであり、治験における認可遅れのリスクの増加とも関連付けられる。
【０００４】
インフォームド・コンセントに対する現在の解決策は、本質的に手作業であり、非効率的である。例えば、参加者は、治験に参加する意志を確認するために数枚の紙ベースの文書を検討しなければならない。これらの紙ベースの文書は、長々しくて参加者が理解することが難しい。さらにまた、プロセスが手作業なので、参加者がこれらの文書の内容を実際に読んだという保証がない。
【０００５】
いくつかの従来の解決策においては、インフォームド・コンセント・プロセスを電子的にするための試みがなされる。かかる解決策では、参加者に内容が電子的に提供され、電子的インフォームド・コンセント・プロセスの異なるステップで消費された時間と全体的なコンセントを達成するための予想時間とを決定するためにいくらかの追跡が行われる。時間に関するデータは、その後、規制上の必要条件を満たすために治験責任医師に提供される。しかしながら、時間の単なる追跡では十分でなく、参加者が内容を読んだか否かは、依然として保証されない。例えば、追跡された時間は、参加者が３ページの文書を読むのに５秒を要したことを示すかもしれず、大部分のケースでは３ページの文書を読むのに５秒では十分でなく、この追跡された時間は、参加者が実際に内容を読んだことを保証する何の努力もなしに、単に治験責任医師に表示されるに過ぎない。
【発明の概要】
【０００６】
読み手に基本的な理解を提供するために、本開示の簡略な要約を以下に提示する。この要約は、本開示の広範な概要ではなく、キーとなる／決定的に重要な要素を特定することも、本明細書の範囲を詳述することもない。その唯一の目的は、後に提示されるより詳細な説明への前置きとして、本明細書に開示されるコンセプトの抜粋を簡略な形で提示することである。
【０００７】
ある実施形態において、治験における電子的インフォームド・コンセント・プロセスを管理するための方法が開示される。方法は、電子的インフォームド・コンセント・プロセスと関連付けられた内容を読むのに参加者によって費やされた時間を追跡するステップを含む。内容を読むのに費やされた時間が内容を読むための所定の予想時間と比較される。方法は、費やされた時間と所定の予想時間との差が時間差閾値を満たさなければ、ずれを検出するステップを含む。方法は、電子的インフォームド・コンセント・プロセスに対するずれの影響を軽減するために、電子的インフォームド・コンセント・プロセスの間に動作をトリガするステップをさらに含む。
【０００８】
ある実施形態において、治験における電子的インフォームド・コンセント・プロセスを管理するためのシステムが開示される。システムは、少なくとも１つのプロセッサおよびコンピュータプログラムコードを備える少なくとも１つのメモリを含む。少なくとも１つのメモリおよびコンピュータプログラムコードは、少なくとも１つのプロセッサとともに、システムに、少なくとも、電子的インフォームド・コンセント書式の１つセクションを読むのに参加者によって費やされた時間の追跡を行わせるように構成される。システムは、内容を読むのに費やされた時間を内容を読むための所定の予想時間と比較するようにされる。費やされた時間と所定の予想時間との差が時間差閾値を満たさなければ、ずれが検出される。システムは、さらに、電子的インフォームド・コンセント・プロセスに対するずれの影響を軽減するために、電子的インフォームド・コンセント・プロセスの間に動作をトリガするようにされる。
【０００９】
ある実施形態において、治験における電子的インフォームド・コンセント・プロセスを管理するための別のシステムが提供される。システムは、費やされた時間追跡器、比較器、ずれ検出器、および動作トリガリング・ユニットを含む。費やされた時間追跡器は、電子的インフォームド・コンセント書式の１つのセクションを読むのに参加者によって費やされた時間を追跡する。比較器は、セクションを読むのに費やされた時間をセクションを読むための所定の予想時間と比較する。ずれ検出器は、費やされた時間と所定の予想時間との間の差が時間差閾値を満たさなければ、ずれを検出する。動作トリガリング・ユニットは、電子的インフォームド・コンセント・プロセスに対するずれの影響を軽減するために、電子的インフォームド・コンセント・プロセスの間に動作をトリガする。
【００１０】
付随する特徴の多くは、添付図面と併せて考察された以下の詳細な記載を参照することによってより良く理解されるようになるにつれてさらに容易に認識されよう。
【００１１】
本記載は、以下の添付図面を踏まえて読まれたときに以下の詳細な記載からより良く理解されるであろう。
【図面の簡単な説明】
【００１２】
【図１】本開示の様々な実施形態が実施されてもよい、環境例を示す。
【図２】ある実施形態例による、電子的インフォームド・コンセント・プロセスの管理を容易にするように構成されたシステムのブロック図である。
【図３】ある実施形態例による、電子的インフォームド・コンセント・プロセスを管理するための複数のモジュールを示すブロック図である。
【図４】ある実施形態例による、所定の予想時間を決定するための複数のモジュールを示すブロック図である。
【図５】別の実施形態例による、所定の予想時間を決定するための複数のモジュールを示すブロック図である。
【図６】別の実施形態例による、電子的インフォームド・コンセント・プロセスを管理するための複数のモジュールを示すブロック図である。
【図７】ある実施形態例による、電子的インフォームド・コンセント・プロセスを管理するための方法のフロー図例を示す。
【図８】別の実施形態例による、電子的インフォームド・コンセント・プロセスを管理するための方法のフロー図例を示す。
【図９】本明細書に記載される実施形態例を実装することが可能な電子デバイスの例を示す。
【図１０】ある実施形態例による、電子デバイス上で参加者に表示された電子的インフォームド・コンセント・アプリケーション例のユーザインターフェースを図示する。
【図１１】ある実施形態例による、電子デバイス上で参加者に表示された電子的インフォームド・コンセント・アプリケーション例のユーザインターフェースを図示する。
【図１２】ある実施形態例による、電子デバイス上で参加者に表示された電子的インフォームド・コンセント・アプリケーション例のユーザインターフェースを図示する。
【発明を実施するための形態】
【００１３】
添付図面中、同様の部分を指定するために同様の参照番号が用いられる。
【００１４】
様々な実施形態において、電子的インフォームド・コンセント・プロセスを管理するためのシステムおよび方法が提供される。電子的インフォームド・コンセント・プロセスは、全体的な治験プロセスの一部である。電子的インフォームド・コンセント・プロセスは、インフォームド・コンセントを得る規制上の必要条件を満足させるために行われる。インフォームド・コンセント・プロセスは、参加者（「被験者」とも呼ばれる）が、治験に参加するための参加者の決定に係る治験のすべての態様を知らされた後に治験に参加する自らの意志を自発的に確認するプロセスである。
【００１５】
参加者は、電子的インフォームド・コンセント・プロセス・アプリケーションにアクセスする。電子的インフォームド・コンセント・プロセス・アプリケーションは、電子的インフォームド・コンセント書式を参加者に提供し、電子的インフォームド・コンセント・サーバ（以下、「サーバ」と呼ばれる）によってホストされる。参加者は、電子的インフォームド・コンセント書式の内容を検討する。内容は、１つ以上のセクション、例えば、「治験の概要」、「インフォームド・コンセント・プロセスの紹介」、「リスクおよび利益」、「代替治療」などへ分割されている。電子的インフォームド・コンセント書式のセクション上で行動を行う、例えば、読むときに参加者によって費やされた時間が追跡される。時間は、ｗｅｂ追跡または内容追跡技術を用いて追跡されてもよい。例えば、内容は、参加者によって行われたイベントを追跡してそれらのイベントをサーバへ送る、１つのアナリティクスコードを含む。イベントのいくつの例は、参加者によって行われるクリック、マウスホバリング、選択／非選択オプションなどを含む。いくつか実施形態では、参加者の視線を追跡してデータをサーバへ送るために、参加者のデバイス上に視線追跡アプリケーションが存在する。サーバは、データを受信して、データから有意義な情報を引き出すためにデータを処理する。なお、内容のセクションに費やされた時間を決定するためにサーバが参加者のデバイスと一緒にデータを追跡して、そのデータを解析する。費やされた時間は、次に、行動を行うための所定の予想時間と比較される。行動を行うための所定の予想時間は、電子的インフォームド・コンセント書式のセクション上で行動を行うための過去の記録データ、または電子的インフォームド・コンセント書式のセクション上で行動を行うための平均時間推定値のうちの少なくとも１つに基づいて決定される。過去の記録データは、同じ参加者または異なる参加者のものであってよい。いくつかの実施形態では、参加者が初めて参加者であれば、所定の予想時間は、所定の予想時間として平均時間推定値を含む。いくつかのシナリオでは、所定の予想時間は、電子的インフォームド・コンセント書式の内容、参加者および／または行動と関連付けられた１つ以上のパラメータを用いて決定される。
【００１６】
さらにまた、行動を行うときに費やされた時間と行動を行うための所定の予想時間との差が時間差閾値を満たさなければ、費やされた時間におけるずれが検出される。時間差閾値は、些細なずれが無視されて、一方では主要なずれが検出されることを保証するために最適なレベルにセットされる。ある実施形態例では、時間差閾値が最小値および最大値と関連付けられてもよい。例えば、電子的インフォームド・コンセント書式の「リスクおよび利益」セクションを読むための時間差閾値の最小値および最大値は、それぞれ、３分および１０分である。読む（すなわち、行動を行う）ときに費やされた時間と読むための所定の予想時間との差が３分と１０分との間にあれば、ずれは検出されない。しかしながら読むときに費やされた時間と読むための所定の予想時間との差が３分未満または１０分超であれば、差が時間差閾値を満たさないと推定されてよく、それに応じて、ずれが検出されてよい。
【００１７】
ずれ検出に基づいて電子的インフォームド・コンセント・プロセスに対するずれの影響を軽減するために、電子的インフォームド・コンセント・プロセスの間に動作がトリガされる。あるシナリオ例では、電子的インフォームド・コンセント・プロセスに対するずれの影響は、参加者による電子的インフォームド・コンセント・プロセスの早期の終了かもしれない。例えば、参加者は、セクションを理解するのにあまりに多くの時間を費やしたかもしれず、参加者は、内容を明確に理解できないために失望するかもしれない。参加者は、かかるケースでは、電子的インフォームド・コンセント・プロセスを終了することを選ぶかもしれない。いくつかのケースでは、参加者が治験への参加に決して戻らないことを選ぶかもしれず、それによって、被験者の維持が阻害される。従って、電子的インフォームド・コンセント・プロセスに対するずれの影響を軽減するために、電子的インフォームド・コンセント・プロセスの間に動作がトリガされる。例えば、治験または電子的インフォームド・コンセント・プロセスを調整しているコーディネーターは、ずれが発生したことを警告される。用語「コーディネーター」は、本明細書では、電子的インフォームド・コンセント・プロセスについて参加者を補助することを任されたいずれかの職員を指してもよい。用語「コーディネーター」は、さらに、いくつかのシナリオでは、１人より多い個人を含んでもよい。例えば、病院または診療所のような施設では、１人以上の看護師および／または補助員が合意プロセスの間に患者を補助してもよい。用語コーディネーターは、かかるケースでは、様々な参加者のための電子的インフォームド・コンセント・プロセス全体を監督している、医師のような、一個人か、または、個々の参加者を彼らのそれぞれの合意プロセスの経過中に補助することを任された参加者の補助員を指してもよい。
【００１８】
コーディネーターに提供される警告メッセージは、参加者位置情報、参加者識別情報などのような、参加者の詳細を含んでもよい。参加者位置情報は、例えば、電子的インフォームド・コンセント・プロセスが実行されている施設内で参加者を現在収容している部屋番号（または、病棟番号）の情報を含んでもよい。参加者識別情報は、名前、参加者ＩＤ、連絡先の詳細などのような、参加者の個人情報を含んでもよい。いくつかの実施形態では、コーディネーターは、警告メッセージを受信すると、参加者とチャットでの会話、または電話での会話を始めてもよい。いくつかのシナリオ例では、コーディネーターは、合意プロセスの間に参加者を補助するために参加者と物理的に会ってもよい。
【００１９】
いくつかの実施形態では、ずれが発生したことを示すためにポップアップまたは警告メッセージがさらに参加者のデバイス上に示されてもよく、参加者は、コーディネーターに連絡してもよい。次に参加者とコーディネーターとの間に通信チャネルが確立される。
【００２０】
様々な実施形態において、参加者の行動を追跡するステップは、参加者が内容に携わり、内容を消費したことを保証する。動作のリアルタイム・トリガリングは、コーディネーターが参加者の問題を解決して、参加者の時間を節約することを可能にする。加えて、コーディネーターは、参加者が消費しているセクションを知っているので、質問を予期してもよく、参加者の問題解決に向けて準備を整えてもよい。電子的インフォームド・コンセント・プロセスの間に是正措置が取られるため、参加者も安全に感じる。加えて、電子的インフォームド・コンセント・プロセスの間に是正措置が取られるので、全体的な電子的インフォームド・コンセント・プロセスが効率的になる。加えて、電子的インフォームド・コンセント・プロセスは、電子的インフォームド・コンセント・プロセス中に参加者およびコーディネーターの両方が関与することに起因してインタラクティブである。
【００２１】
本開示の様々な実施形態が、次に、様々な図を用いて詳細に記載される。
【００２２】
添付図面に関連して以下に提供される詳細な記載は、本例を記載するものであり、本例が構築または利用されてもよい唯一の形態を表すものではないことに留意されたい。しかしながら、異なる例によって同じかまたは同等の機能およびシーケンスが達成されてもよい。
【００２３】
図１は、本開示の様々な実施形態が実施されてもよい環境例１００を示す。環境１００の表現例は、複数のユーザ（例えば、ユーザ１０２およびユーザ１１４）ならびにサーバ１１０のような、エンティティを接続するネットワーク１０８を図示することが示される。ネットワーク１０８は、集中型ネットワークであってもよく、または、エンティティ間の直接通信を提供してもよく、もしくはエンティティ間の間接通信を提供してもよい、複数のサブネットワークを備えてもよい。ネットワーク１０８の例は、無線ネットワーク、有線ネットワーク、およびそれらの組み合わせを含む。無線ネットワークのいくつかの非網羅的な例は、無線ローカルエリアネットワーク（ＷＬＡＮ：ｗｉｒｅｌｅｓｓ  ｌｏｃａｌ  ａｒｅａ  ｎｅｔｗｏｒｋ）、Ｂｌｕｅｔｏｏｔｈ（登録商標）またはＺｉｇｂｅｅ（登録商標）ネットワーク、セルラーネットワークなどを含んでもよい。有線ネットワークのいくつかの非網羅的な例は、ローカルエリアネットワーク（ＬＡＮ：Ｌｏｃａｌ  Ａｒｅａ  Ｎｅｔｗｏｒｋ）、イーサネット（登録商標）、光ファイバ・ネットワークなどを含んでもよい。有線ネットワークおよび無線ネットワークの組み合わせの例は、インターネットを含んでもよい。
【００２４】
環境１００は、ネットワーク１０８を介して環境１００の他のエンティティと通信するために１つ以上の電子デバイスと関連付けられた１人以上の参加者を含む。例えば、参加者１０２は、デバイス１０４を介してネットワーク１０８に接続され、コーディネーター１１４は、デバイス１１６を介してネットワーク１０８に接続される。これらのデバイスは、例えば、プライベートまたはパブリックネットワーク、ＬＡＮ，無線ネットワーク、Ｂｌｕｅｔｏｏｔｈベースのネットワーク、または任意のかかるタイプのネットワークを用いてネットワーク１０８に接続されてもよい。なお、デバイス１０４および１１６が、環境１００に示されるような、それぞれデスクトップコンピュータおよびモバイルフォンに限定されなくてもよく、様々なデバイスを用いてエンティティがネットワーク１０８に接続してもよい。デバイスの例は、以下には限定されないが、ラップトップ、スマートフォン、タブレット、スマートウォッチ、スマートテレビ、家庭におけるスマートデバイス、および電子的インフォームド・コンセント・プロセスに参加するための性能を有する他のかかるシステムを含む。
【００２５】
いくつかの実施形態例において、サーバ１１０は、様々なデバイスから受信した情報を処理するため、および電子的インフォームド・コンセント・プロセスを管理するために、１つ以上の処理要素（例えば、コンピューティングシステム、データベース等）を含んでもよい。
【００２６】
いくつかの実施形態例において、サーバ１１０は、例えば、電子的インフォームド・コンセント・プロセス・アプリケーションのような、そのインスタンスがエンティティのデバイス上にインストールされてもよい、アプリケーションをホストするためのインフラストラクチャを維持する。電子的インフォームド・コンセント・プロセス・アプリケーションを用いるエンティティは、サーバ１１０とインタラクトしてもよく、例えば、エンティティがデータを提供して、サーバ１１０からデータを受信してもよい。サーバ１１０の機能は、クラウドサービスおよび／またはサブスクリプションサービスの形態で具現化されてもよい。
【００２７】
一実施形態では、サーバ１１０およびエンティティの１つ以上のデバイスが本開示に記載されるような電子的インフォームド・コンセント・プロセスを管理するための方法を実行する。別の実施形態では、サーバ１１０がエンティティの１つ以上のデバイスから１つ以上の入力を受信して、本開示に記載される方法全体を行う。さらに別の実施形態では、エンティティの１つ以上のデバイスが本明細書に記載されるような方法全体を行う。
【００２８】
デバイス１０４は、電子的インフォームド・コンセント・プロセス・アプリケーション１０６を含むことが図示される。電子的インフォームド・コンセント・プロセス・アプリケーション１０６は、以下、アプリケーション１０６と呼ばれる。アプリケーション１０６は、参加者１０２がデータを提供して、サーバ１１０からデータを受信することを可能にする。同様に、デバイス１１６は、電子的インフォームド・コンセント・プロセス・アプリケーション１１８を含むことが図示される。電子的インフォームド・コンセント・プロセス・アプリケーション１１８は、以下、アプリケーション１１８と呼ばれる。一実施形態では、異なるデバイスおよび異なるデバイス・フォームファクタに基づくか、または異なるタイプのエンティティに基づいてアプリケーションの異なるバージョンが供給されてもよいので、アプリケーション１０６は、アプリケーション１１８と異なってもよい。かかるシナリオでは、提供されるワークフローがエンティティのサブスクリプション権およびエンティティのタイプに基づいて異なってもよい。例えば、参加者１０２は、電子的インフォームド・コンセント書式に入力（記入）するステップ、およびそれに署名するステップに関するワークフローを見ることになり、一方でコーディネーター１１４は、電子的インフォームド・コンセント書式を追跡するステップ、書式を作成するステップ、電子的インフォームド・コンセント書式の間に是正措置を取るステップ、および電子的インフォームド・コンセント書式を管理するステップに関するワークフローを見ることになろう。
【００２９】
別の実施形態では、アプリケーション１０６がアプリケーション１１８と同様であってもよく、これらのアプリケーションは、異なるデバイス上で作動している同じアプリケーションの単に異なるインスタンスに対応してもよい。
【００３０】
ある実施形態において、コーディネーター１１４、または任意の他の書式作成エンティティは、電子的インフォームド・コンセント書式を電子的インフォームド・コンセント・プロセスの一部として作成してもよく、参加者による消費のために電子的インフォームド・コンセント書式を、アプリケーション１０６および１１８のような、電子的インフォームド・コンセント・プロセス・アプリケーションを介して利用可能にしてもよい。電子的インフォームド・コンセント書式を作成している間に、コーディネーター１１４または書式作成エンティティは、追跡が所望される電子的インフォームド・コンセント書式のセクションを指定してもよい。いくつかの実施形態では、この指定は、電子的インフォームド・コンセント書式の対応するセクションに１つの追跡コードを埋め込むことによって行われてもよい。電子的インフォームド・コンセント書式は、次に、サーバ１１０を介した消費のために利用可能にされてもよい。いくつかの実施形態では、サーバ１１０も電子的インフォームド・コンセント書式の作成を容易にしてもよい。
【００３１】
少なくとも１つの実施形態例では、電子的インフォームド・コンセント書式が１つ以上のセクションへ分割される。セクションは、例えば、内容のタイプ、内容の性質などのような、パラメータに基づいて作成されてもよい。内容のタイプのいくつかの非網羅的な例は、テキストベースの内容、音響・映像またはマルチメディア内容、画像内容などを含んでもよい。内容の性質のいくつかの非網羅的な例は、電子的インフォームド・コンセント・プロセスを参加者に紹介するステップ、治験のリスクおよび利益を参加者に知らせるステップ、クエリを明確にするステップなどを含んでもよい。
【００３２】
ある実施形態において、参加者１０２は、デバイス１０４を介してアプリケーション１０６にアクセスすることによって電子的インフォームド・コンセント書式にアクセスしてもよい。アプリケーション１０６の例は、以下には限定されないが、スタンドアローンのソフトウェア・アプリケーション、スタンドアローンの電子的インフォームド・コンセント書式またはブラウザを介してアクセスされる電子ポータルを含む。少なくとも１つの実施形態例において、アプリケーション１０６は、追跡対応であり、アプリケーション１０６または電子的インフォームド・コンセント書式上で行われる行動の追跡をもたらすように構成されてもよい。行動の例は、以下には限定されないが、読むこと、熟視、入力（記入）、消去、選択肢の選択、選択肢の非選択、自由検索、再開などを含む。
【００３３】
一実施形態では、追跡コードがアプリケーション１０６に埋め込まれ、一方で別の実施形態では、追跡コードへの参照がアプリケーション１０６に埋め込まれて、電子的インフォームド・コンセント書式のどんなセクションが追跡されることになるかを示す追跡コードがサーバ１１０からフェッチされてもよい。電子的インフォームド・コンセント書式のセクション上で行動を行うときに費やされた時間が次に追跡される。追跡は、行動ごと、セクションごと、参加者ごとに行われてもよく、および／あるいは、書式作成エンティティもしくは書式管理エンティティ、または電子的インフォームド・コンセント書式に係り、以下に「書式管理エンティティ」と集合的に呼ばれる任意の他のエンティティによって所望されるような、任意の他の細かさに基づいて行われてもよい。
【００３４】
追跡の一部として収集されたデータは、デバイス１０６によってバッチで、または連続ストリームとしてサーバ１１０へ送られる。サーバ１１０は、次に、データにアクセスして、有意義な情報を引き出すためにデータを処理する。一実施形態において、追跡は、デバイス１０６およびサーバ１１０で行われるステップの組み合わせを含む。別の実施形態では、追跡は、デバイス１０６において行われるステップを指す。さらに別の実施形態では、追跡は、サーバ１１０によって行われる解析を指す。
【００３５】
当然のことながら、追跡のために任意の他の技術も用いられてもよい。例えば、追跡は、電子的インフォームド・コンセント・プロセス・アプリケーションの外部のアプリケーションによって行われてもよく、データがサーバ１１０にレポートされてもよい。
【００３６】
ある実施形態において、サーバ１１０は、内容のセクション上で行動を行うために費やされた時間をそのセクション上で行動を行うための所定の予想時間と比較する。なお、費やされた時間と所定の予想時間とを比較するための根拠が同じであるように、例えば、セクションごと、行動ごとなどに選ばれてもよい。いくつかの実施形態では、比較のための根拠は、電子的インフォームド・コンセント・プロセスにおけるプロセスフローの厳密に同じ部分を含む。例えば、プロセスフローは、１つ以上のセクションの組み合わせであってもよく、従って、その組み合わされたセクションに対して１つの所定の予想時間を有してもよい。プロセスフローは、電子的インフォームド・コンセント書式の任意の単数または複数のセクション上で行われる任意の単数または複数の行動として定義されてもよい。
【００３７】
少なくとも１つの実施形態例では、所定の予想時間は、（１）１つ以上の前の電子的インフォームド・コンセント・プロセスの間に参加者が行動を行った過去の記録データ、（２）電子的インフォームド・コンセント・プロセスの前の参加者が行動を行うときに費やした時間から決定された、行動を行うための平均時間推定値、（３）内容、行動、または参加者に関する１つ以上のパラメータ、のうちの少なくとも１つに基づいてサーバ１１０によって決定される。一実施形態において、上記の番号付け（１）から（３）は、所定の予想時間を決定するためのいずれかの優先順位を示すものではない。別の実施形態では、所定の予想時間の決定は、（１）から（３）の順序で行われ、利用可能であれば、（１）を最初に用い、そうでない場合には、利用可能であれば（２）を、そうでもない場合には（３）を用いる。さらなる実施形態では、所定の予想時間の決定は、定義（１）から（３）のいずれかの組み合わせとして行われてもよい。
【００３８】
内容に関するパラメータのいくつかの非網羅的な例は、内容におけるセクションの数、各セクションにおける質問の数、セクションにおける単語または文の数、セクションにおけるビュレットの数、質問の難しさ、質問の言葉遣い、質問の順序、応答カテゴリ、速度対精度指示、学習効果などを含む。参加者に関するパラメータのいくつかの非網羅的な例は、参加者の年齢または認知能力、内容についての参加者の熟知度、参加者の健康、参加者の教育、参加者の黙認傾向などを含んでもよい。行動に関するパラメータのいくつかの非網羅的な例は、タイムプレッシャー、参加者の現在の気分／注意力などを含んでもよい。
【００３９】
サーバ１１０は、後に詳細に説明されるように、所定の予想時間を決定するためのいくつかのモジュールを含む。いくつかの実施形態において、所定の予想時間も、書式管理エンティティによってフィードされてもよく、または修正されてもよい。サーバ１１０は、費やされた時間と所定の予想時間との差が時間差閾値を満たさなければ、さらにずれを検出する。例えば、この差がある一定の所望のレベルを超えるならば、すなわち、それより大きいかまたは小さい場合には、時間差閾値を満たしていないと見做される。時間差閾値は、書式管理エンティティによってセットされ、修正されてもよく、または過去のデータに基づいてセットされ、修正されてもよい。
【００４０】
ずれの検出に基づいて、サーバ１１０は、次に、ずれの影響を軽減するために、電子的インフォームド・コンセント・プロセス間に動作をトリガ（開始）する。一実施形態において、サーバ１１０は、電子的インフォームド・コンセント・プロセスに十分な時間または残された最小時間閾値を超える時間が残されているかどうかのチェックを行う。残されていれば、サーバ１１０は、動作をトリガする。動作の例は、以下には限定されないが、ずれの影響を軽減するために是正措置を提供するステップを含む。いくつかの実施形態では、軽減は、参加者１０２もしくはコーディネーター１１４または両方にずれの発生を警告することによってなされる。警告は、例えば、メッセージ通知、フラッシュ通知、ビープ音と組み合わせたフラッシュ通知、電子メールなどのような、任意の形態であってもよい。図１を参照して説明されたように、コーディネーターに警告する通知は、参加者位置情報、参加者識別情報などを含んでもよい。加えて、この通知は、ずれの確からしい理由、およびいくつかのケースでは、コーディネーターが検出されたずれに応答して参加者を補助することを可能にするためのセルフヘルプ・セクションへのリンクも含んでもよい。加えて、是正措置を提供することによって参加者１０２およびコーディネーター１１４が対話してずれの影響を軽減することを可能にするために、彼らの間に通信のチャネルが確立される。コーディネーター１１４は、参加者１０２を指導するかまたは助けてもよく、参加者１０２は、コーディネーター１１４にクエリを質問してもよい。通信のチャネルは、電子的インフォームド・コンセント・プロセス・アプリケーションまたは任意の他のアプリケーションを介してもよい。
【００４１】
環境１００は、サーバ１１０、デバイス１０６またはデバイス１１６がアクセスするために様々なデータが記憶されたデータベース１１２も含む。データは、費やされた時間、参加者の病歴、または任意の他のデータを含んでもよい。データベース１１２は、直接にまたはネットワーク１０８を介してアクセスされてもよい。図２を参照して、電子的インフォームド・コンセント・プロセスの管理がさらに説明される。
【００４２】
図２は、ある実施形態例による、電子的インフォームド・コンセント・プロセスの管理を容易にするように構成されたシステム２００のブロック図である。システム２００は、プロセッサ２０２のような少なくとも１つのプロセッサ、およびメモリ２０４のような少なくとも１つのメモリを含む。システム２００は、入力／出力モジュール２０６および通信インターフェース２０８も含む。システム２００は、図１を参照して説明されたサーバ１１０内に含まれてもよく、またはいくつかの実施形態では、システム２００がサーバ１１０を具現化してもよい。いくつかの実施形態では、システム２００の１つ以上の構成要素が参加者のデバイス１０４またはコーディネーターのデバイス１１６のような任意のユーザデバイスに配備されてもよい。
【００４３】
システム２００が１つだけのプロセッサ２０２を含むことが図示されるが、システム２００は、より多数のプロセッサをその中に含んでもよい。ある実施形態では、メモリ２０４は、プラットフォーム命令２０５を記憶することが可能であり、プラットフォーム命令２０５とは、電子的インフォームド・コンセント・プロセスの管理と関連付けられた機械実行可能な命令である。さらにまた、プロセッサ２０２は、記憶されたプラットフォーム命令２０５を実行することが可能である。ある実施形態では、プロセッサ２０２は、マルチコア・プロセッサ、シングルコア・プロセッサ、または１つ以上のマルチコア・プロセッサと１つ以上のシングルコア・プロセッサとの組み合わせとして具現化されてもよい。例えば、プロセッサ２０２は、１つ以上の様々な処理デバイス、例えば、コプロセッサ、マイクロプロセッサ、コントローラ、デジタル信号プロセッサ（ＤＳＰ：ｄｉｇｉｔａｌ  ｓｉｇｎａｌ  ｐｒｏｃｅｓｓｏｒ）、付随するＤＳＰ有りまたは無しの処理回路素子として具現化されてもよく、または、例えば、特定用途向け集積回路（ＡＳＩＣ：ａｐｐｌｉｃａｔｉｏｎ  ｓｐｅｃｉｆｉｃ  ｉｎｔｅｇｒａｔｅｄ  ｃｉｒｃｕｉｔ）、フィールドプログラマブルゲートアレイ（ＦＰＧＡ：ｆｉｅｌｄ  ｐｒｏｇｒａｍｍａｂｌｅ  ｇａｔｅ  ａｒｒａｙ）、マイクロコントローラユニット（ＭＣＵ：ｍｉｃｒｏｃｏｎｔｒｏｌｌｅｒ  ｕｎｉｔ）、ハードウェアアクセラレータ、専用コンピュータ・チップなどのような集積回路を含んだ、様々な他の処理デバイスとして具現化されてもよい。ある実施形態では、プロセッサ２０２は、ハードコードされた機能を実行するように構成されてもよい。ある実施形態では、プロセッサ２０２は、ソフトウェア命令のエクゼキュータとして具現化されてもよく、命令は、命令が実行されるときに、本明細書に記載されるアルゴリズムおよび／またはオペレーションを行うようにプロセッサ２０２を特異的に構成してもよい。
【００４４】
メモリ２０４は、１つ以上の揮発性メモリデバイス、１つ以上の不揮発性メモリデバイス、ならびに／または１つ以上の揮発性メモリデバイスおよび不揮発性メモリデバイスの組み合わせとして具現化されてもよい。例えば、メモリ２０４は、磁気記憶デバイス（例えば、ハードディスクドライブ、フロッピーディスク、磁気テープ等）、光磁気記憶デバイス（例えば、光磁気ディスク）、ＣＤ−ＲＯＭ（コンパクトディスク・リードオンリーメモリ：ｃｏｍｐａｃｔ  ｄｉｓｃ  ｒｅａｄ  ｏｎｌｙ  ｍｅｍｏｒｙ）、ＣＤ−Ｒ（追記形コンパクトディスク：ｃｏｍｐａｃｔ  ｄｉｓｃ  ｒｅｃｏｒｄａｂｌｅ）、ＣＤ−Ｒ／Ｗ（再書込み可能コンパクトディスク：ｃｏｍｐａｃｔ  ｄｉｓｃ  ｒｅｗｒｉｔａｂｌｅ）、ＤＶＤ（デジタル多用途ディスク：Ｄｉｇｉｔａｌ  Ｖｅｒｓａｔｉｌｅ  Ｄｉｓｃ）、ＢＤ（ＢＬＵ−ＲＡＹ（登録商標）Ｄｉｓｃ）、および半導体メモリ（例えば、マスクＲＯＭ、ＰＲＯＭ（プログラマブルＲＯＭ：ｐｒｏｇｒａｍｍａｂｌｅ  ＲＯＭ）、ＥＰＲＯＭ（消去可能ＰＲＯＭ：ｅｒａｓａｂｌｅ  ＰＲＯＭ）、フラッシュＲＯＭ、ＲＡＭ（ランダムアクセスメモリ：ｒａｎｄｏｍ  ａｃｃｅｓｓ  ｍｅｍｏｒｙ）等））として具現化されてもよい。
【００４５】
入力／出力モジュール２０６（以下、「Ｉ／Ｏモジュール２０６」と呼ばれる）は、出力の供給および／または入力の受信を容易にするように構成される。Ｉ／Ｏモジュール２０６は、プロセッサ２０２およびメモリ２０４と通信を行うように構成される。Ｉ／Ｏモジュール２０６の例は、以下には限定されないが、入力インターフェースおよび／または出力インターフェースを含む。入力インターフェースの例は、以下には限定されないが、キーボード、マウス、ジョイスティック、キーパッド、タッチスクリーン、ソフトキー、マイクロフォンなどを含んでもよい。出力インターフェースの例は、以下には限定されないが、ディスプレイ、例えば、発光ダイオード・ディスプレイ、薄膜トランジスタ（ＴＦＴ：ｔｈｉｎ−ｆｉｌｍ  ｔｒａｎｓｉｓｔｏｒ）ディスプレイ、液晶ディスプレイ、アクティブマトリクス有機発光ダイオード（ＡＭＯＬＥＤ：ａｃｔｉｖｅ−ｍａｔｒｉｘ  ｏｒｇａｎｉｃ  ｌｉｇｈｔ−ｅｍｉｔｔｉｎｇ  ｄｉｏｄｅ）ディスプレイ、マイクロフォン、スピーカ、リンガ、バイブレータなどを含んでもよい。ある実施形態例では、プロセッサ２０２は、例えば、スピーカ、マイクロフォン、ディスプレイおよび／または類似のものなど、Ｉ／Ｏモジュール２０６の１つ以上の要素の少なくともいくつかの機能を制御するように構成されたＩ／Ｏ回路素子を含んでもよい。プロセッサ２０２および／またはＩ／Ｏ回路素子は、プロセッサ２０２へアクセス可能なメモリ、例えば、メモリ２０４および／または類似のものに記憶された、コンピュータプログラム命令、例えば、ソフトウェアおよび／またはファームウェアを通じて、Ｉ／Ｏモジュール２０６の１つ以上の要素の１つ以上の機能を制御するように構成されてもよい。
【００４６】
ある実施形態では、Ｉ／Ｏモジュール２０６は、選択肢または任意の他の表示をシステム２００のユーザに提供するように構成されたユーザインターフェース（ＵＩ：ｕｓｅｒ  ｉｎｔｅｒｆａｃｅ）を提供するように構成されてもよい。加えて、Ｉ／Ｏモジュール２０６は、システム２００のユーザから入力を受信するように構成されたメカニズムと統合されてもよい。
【００４７】
通信インターフェース２０８は、システム２００が他のデバイス、例えば、治験の参加者およびコーディネーターのデバイスと、様々なタイプのネットワーク、例えば、図１を参照して説明されたようなネットワーク１０８を通じて通信することを可能にしてもよい。例えば、通信インターフェース２０８は、アプリケーション１０６またはアプリケーション１１８のような、電子的インフォームド・コンセント・アプリケーションを参加者へ供給してもよい。通信インターフェース２０８は、行動に費やされた時間におけるずれの検出の際の電子的インフォームド・コンセント・プロセスおよび／または治験のコーディネーターへの通知の提供も容易にしてもよい。通信インターフェース２０８は、参加者のデバイスからの追跡データ、手／視線の動きの動作等の受信を容易にしてもよい。
【００４８】
ある実施形態では、システム２００の様々な構成要素、例えば、プロセッサ２０２、メモリ２０４、Ｉ／Ｏモジュール２０６および通信インターフェース２０８は、集中型回路システム２１０を介するか、またはそれを通じて互いに通信するように構成される。集中型回路システム２１０は、とりわけ、システム２００の構成要素（２０２‐２０８）間の通信を提供するか、または可能にするように構成された様々なデバイスであってもよい。ある一定の実施形態において、集中型回路システム２１０は、マザーボード、メインボード、システムボード、またはロジックボードのような中央プリント回路基板（ＰＣＢ：ｐｒｉｎｔｅｄ  ｃｉｒｃｕｉｔ  ｂｏａｒｄ）であってもよい。集中型回路システム２１０は、同様に、または代わりに、他のプリント回路アセンブリ（ＰＣＡ：ｐｒｉｎｔｅｄ  ｃｉｒｃｕｉｔ  ａｓｓｅｍｂｌｙ）または通信チャネル媒体を含んでもよい。
【００４９】
図示され、以下に記載されるシステム２００は、本発明の実施形態から利益を享受しうるであろうシステムを例証するに過ぎず、それゆえに、本発明の範囲を限定すると理解されるべきではない。なお、システム２００は、図２に図示されたものより少数または多数の構成要素を含んでもよい。
【００５０】
先に説明されたように、システム２００がサーバ１１０を具現化してもよい。別の実施形態では、システム２００は、通信ネットワーク（例えば、図１を参照して説明されたネットワーク１０８）に接続されて命令のセットを（順次および／または別様に）実行することが可能なリモートマシン内のスタンドアローンの構成要素であってもよい。そのうえ、システム２００は、集中型システムとして実装されてもよく、または代わりに、システム２００の様々な構成要素が分散して配備されるが、互いに動作可能に結合されてもよい。ある実施形態では、システム２００の１つ以上の機能性が、さらに、参加者１０２のデバイス１０６またはコーディネーター１１４のデバイス１１６のようなデバイス内のクライアントとして具現化されてもよい。別の実施形態では、システム２００は、かかるデバイスの各々によって共有されるか、またはそれらのデバイスへアクセス可能な中央システムであってもよい。
【００５１】
システム２００による電子的インフォームド・コンセント・プロセスの管理がシステム２００のプロセッサ２０２の機能性を実装する様々なモジュールを参照して以下に説明される。当然のことながら、１つのプロセッサもしくは複数のプロセッサを用いて、または図２に記載された１つのシステムを用いて、あるいは複数のかかるシステムを用いて、本明細書に記載されるようなシステム構成要素、モジュールまたはユニットを実装できる。なお、いくつかの実施形態では、個々のモジュールの組み合わせがプロセッサ２０２によるのと同様の機能を行うように、個々のモジュールの組み合わせによってプロセッサ２０２が置き換えられてもよい。
【００５２】
図３は、ある実施形態例による、電子的インフォームド・コンセント・プロセスを管理するための複数のモジュールを示すブロック図３００である。ある実施形態において、ブロック図３００に示される複数のモジュールは、実際に、本明細書に記載されるような方法を行うためのシステム２００のプロセッサ２０２を構成する。ブロック図３００に図示された複数のモジュールは、費やされた時間追跡器３０２、所定予想時間決定器３０４、比較器３０６、ずれ検出器３０８、および動作トリガリング・ユニット３１０を含む。
【００５３】
費やされた時間追跡器３０２は、電子的インフォームド・コンセント・プロセスと関連付けられた内容に対して行動を行うときに費やされた時間を追跡するように構成される。少なくとも１つの実施形態例では、内容は、電子的インフォームド・コンセント書式の１つ以上のセクションを含む。いずれかの既存の技術または追跡コードを用いて、費やされた時間を追跡することができる。追跡は、行動ごと、セクションごと、参加者ごとに行うことができ、または、書式管理エンティティによって所望されるような任意の他のグラニュラリティに基づいて行うことができる。追跡の一部として収集された（例えば、時間スタンプのような）データは、行動に費やされた時間を決定するために、費やされた時間追跡器３０２によって処理される。
【００５４】
所定予想時間決定器３０４は、（１）１つ以上の前の電子的インフォームド・コンセント・プロセスの間に参加者が行動を行った過去の記録データ、（２）電子的インフォームド・コンセント・プロセスの前の参加者が行動を行うときに費やした時間から決定された、行動を行うための平均時間推定値、（３）セクションおよび参加者に関する１つ以上のパラメータ、のうちの少なくとも１つに基づいて行動を行うための所定の予想時間を決定するように構成される。一実施形態において、上記の番号付け（１）から（３）は、所定の予想時間を決定するためのいずれかの優先順位を示すものではない。別の実施形態では、所定の予想時間の決定は、（１）から（３）の順序で行われ、利用可能であれば、（１）を最初に用い、そうでない場合には、利用可能であれば（２）を、そうでもない場合には（３）を用いる。さらなる実施形態では、所定の予想時間の決定は、定義（１）から（３）のいずれかの組み合わせとして行われてもよい。所定の予想時間の決定は、図１を参照して説明されたように行われてもよい。平均時間推定値を書式管理エンティティによってフィードまたは修正することができ、あるいは図４または図５に記載されるようにサーバ１１０によって決定することができる。
【００５５】
比較器３０６は、費やされた時間を所定の予想時間と比較するように構成される。ずれ検出器３０８は、費やされた時間と所定の予想時間との間の差が時間差閾値を満たさなければ、ずれを検出するように構成される。動作トリガリング・ユニット３１０は、ずれの影響を軽減するために、電子的インフォームド・コンセント・プロセスの間に動作、すなわち、是正措置をトリガするように構成される。いくつかの実施形態では、用語「ずれの影響の軽減」が示唆するのは、例えば、電子的インフォームド・コンセント・プロセスの残りの部分をずれを何も伴わずに完了させるように参加者とインタラクトすることによって、参加者の懸念を解消することである。
【００５６】
図４は、ある実施形態例による、所定の予想時間を決定するための複数のモジュールを示すブロック図４００である。ある実施形態では、ブロック図４００に図示されたモジュールは、内容分類器４０２、パラメータ取得器４０４、および所定予想時間決定器３０４を含む。ブロック図４００に図示されたモジュールは、図２を参照して説明されたシステム２００のプロセッサ２０２の一部であってもよい。代わりに、所定の予想時間を決定するためにプロセッサ２０２によって実行される様々な機能がブロック図４００ではモジュールとして具現化されることが図示される。
【００５７】
内容分類器４０２は、電子的インフォームド・コンセント・プロセスと関連付けられた内容を１つ以上のセクションもしくは１つ以上のプロセスフローへ分類するか、または書式管理エンティティによって所望されるような任意の他のレベルの細かさに分類するように構成される。内容分類器４０２は、内容を比較のために用いることができる根拠へ分割する。根拠は、任意のレベルの細かさ、すなわち、１つ以上のセクションの組み合わせに対するサブセクション、１つ以上の行動の組み合わせに対するサブ行動、もしくは１つ以上のセクションのための１つ以上の行動の組み合わせ、または任意の他の可能な組み合わせを含んでもよい。一実施形態において、比較のカテゴリまたは根拠は、電子的インフォームド・コンセント・プロセスと関連付けられたメタデータまたはデータから作成できる電子的インフォームド・コンセント・プロセスの任意のプロファイルまたはフローステップとして定義されてもよい。
【００５８】
パラメータ取得器４０４は、内容分類器４０２によって作成された各カテゴリと関連付けられた１つ以上のパラメータを得るように構成される。パラメータは、行動、内容のセクション、および参加者のうちの少なくとも１つに基づいてもよい。パラメータの例は、以下には限定されないが、行動のタイプ、セクションの性質、セクションにおける単語の数、セクションにおける質問の数、セクションにおける図の数、参加者の年齢、参加者のタイピング速度、特定のセクションに対する参加者のタイピング速度、または任意の可能なカテゴリと関連付けることができる任意の他のパラメータを含む。
【００５９】
各カテゴリのためのパラメータごとに、データが所定予想時間決定器３０４によってデータベース１１２（図１を参照して説明された）からフェッチされる。データベース１１２は、いくつかの電子的インフォームド・コンセント書式の内容に関する情報、例えば、セクション、単語、画像、質問等の数などを記憶するように構成される。データベース１１２は、さらに、数人の参加者に関する行動データを記憶するように構成される。データベース１１２からフェッチされるデータの例は、以下には限定されないが、現在の電子的インフォームド・コンセント・プロセス／書式に関するデータ、ならびに参加者のデータ、例えば、プロファイル、名前、住所、年齢、性別、参加者によって用いられるデバイスのタイプ（例えば、モバイルフォン、ラップトップ等）、あるいは、参加者によって提供される入力のタイプ（例えば、キーボード、マウス、タッチスクリーン等）などを含む。いくつかの実施形態では、データベース１１２からフェッチされるデータは、１つ以上のチェックマーク質問または主観的な回答を引き出す１つ以上の質問などをセクションが含むかどうかのような、データも含んでもよい。一実施形態において、データベースからフェッチされるデータは、各パラメータに対応する値を含んでもよい。所定予想時間決定器３０４は、所定の予想時間を決定するためにこれらのデータを処理してもよい。いくつかの実施形態では、異なるパラメータに異なる重みが割り当てられてもよく、所定の予定時間に到達するために重み付き平均技術が用いられてもよい。少なくとも１つの実施形態例では、決定される所定の予想時間が数値形式であってもよい（例えば、「ｘ」秒または分、ここでｘは任意の非ゼロの正整数である）。なお、所定の予想時間が非数値であってもよい。所定の予想時間は、次に、プロセッサ２０２の他のモジュールによるアクセスのためにシステム２００のメモリ２０４にセーブされる。なお、異なる行動および／または内容の異なるセクションでは所定の予想時間が異なる。いくつかの実施形態では、書式管理エンティティによって所定の予想時間を供給または修正することができる。
【００６０】
図５は、別の実施形態例による、所定の予想時間を決定するための複数のモジュールを示すブロック図５００である。ある実施形態において、ブロック図５００に図示されたモジュールは、ゾーン分類器５０２および所定予想時間決定器３０４を含む。ブロック図５００に図示されたモジュールは、図２を参照して説明されたシステム２００のプロセッサ２０２の一部であってもよい。代わりに、所定の予想時間を決定するためにプロセッサ２０２によって実行される様々な機能がブロック図５００ではモジュールとして具現化されることが図示される。
【００６１】
ゾーン分類器５０２は、それぞれの内容の性質に基づいて内容部分またはセクションを１つ以上のゾーンへ分類するように構成される。例えば、治験のリスクおよび利益を強調表示する内容部分またはセクションは、参加者にプロセスを紹介するセクションに比べてさらに注意深く読む必要がありうる。ある実施形態例では、参加者に個人情報を入力するようにリクエストするセクションは、ゾーン分類器５０２によって「快適ゾーン」として分類されてもよく、一方で電子的インフォームド・コンセント・プロセスを紹介する別のセクションは、「半快適ゾーン」として分類されてもよい。治験のリスクおよび利益に関するセクションまたは代替治療に関するセクションは、かかるセクションが参加者によるさらに注意深い読みと選択とを必要としうるので、ゾーン分類器５０２によって「不満ゾーン」として分類されてもよい。しかし、当然のことながら、書式管理エンティティのプリファレンスに基づいて異なるセクションのゾーン分類が変化してもよい。
【００６２】
所定予想時間決定器３０４は、かかるゾーンの各々に対して異なる所定の予想時間を決定するように構成される。ある実施形態では、ゾーンごとに所定の予想時間を決定している間に、これらのゾーンに数人の参加者が目を通した履歴的な推定値を考慮に入れてもよい。書式管理エンティティによって所定の予想時間を手動でフィードするか、または手動で修正することもできる。
【００６３】
当然のことながら、所定の予想時間は、数、範囲とすることができるか、または時間を表す任意の他の形態を取ることができる。いくつかの実施形態では、図５に示されるように、内容セクションのゾーンは、所定の予想時間がそれに基づいて決定されてもよい１つのパラメータである。
【００６４】
加えて、ゾーンごとに、参加者の快適ゾーン速度がありうる。快適ゾーン速度は、与えられた環境下で参加者がセクションに対して所望の行動を行う参加者の速度として定義される。ある実施形態では、参加者の「快適ゾーン平均」を算出するために参加者が個人情報を入力する速度が用いられてもよく、参加者が予想／平均速度で進んでいるかどうかを判定するときの基本測定量としてそれをさらに用いることができる。なお、平均的な参加者がセクションを進めて完了することができる速度のゾーン自体の予想率を各々の「ゾーン」が有してもよい。
【００６５】
図６は、別の実施形態例による、電子的インフォームド・コンセント・プロセスを管理するための複数のモジュールを示すブロック図６００である。ある実施形態では、ブロック図６００に示される複数のモジュールは、実際に、本明細書に記載されるような方法を行うためのシステム２００のプロセッサ２０２を構成してもよい。ブロック図６００に図示される複数のモジュールは、費やされた時間追跡器６０２、所定予想時間決定器６０４、比較器６０６、ずれ検出器６０８、動作トリガリング・ユニット６１０、参加者動作追跡器６１２、参加者動作解析器６１４、ずれ理由決定器６１６、および時間推定器６１８を含む。費やされた時間追跡器６０２、所定予想時間決定器６０４、比較器６０６、ずれ検出器６０８、および動作トリガリング・ユニット６１０は、それぞれ、図３の費やされた時間追跡器３０２、所定予想時間決定器３０４、比較器３０６、ずれ検出器３０８、および動作トリガリング・ユニット３１０と実質的に同様である（すなわち、同様の機能を行う）ように構成され、ここでは再度説明されない。
【００６６】
参加者動作追跡器６１２は、参加者の動作を追跡またはモニタするように構成される。例えば、参加者が電子的インフォームド・コンセント・プロセスと関連付けられた内容に対して１つ以上の行動を行っている間に、参加者動作追跡器６１２は、手の動き、入力（クリック、マウスホバリング、選択など）、ジェスチャ、および／または視線の動きを追跡してもよい。参加者動作解析器６１４は、有意義な推測を引き出すために、モニタされた参加者の動作を解析するように構成される。最終的に、これらの有意義な推測から、ずれ理由決定器６１６がずれの理由を推定するように構成される。例えば、セクションに費やされた時間と所定の予想時間とがそのセクションに対する時間差閾値を超過して、参加者が内容を行きつ戻りつしたことをモニタされたデータが示すならば、それがずれの理由として推定され、コーディネーターは、是正措置を取るために参加者に連絡できる。
【００６７】
時間推定器６０８は、その行動を行うのに費やされた時間に、少なくとも部分的に、基づいて残りの電子的インフォームド・コンセント・プロセスを完了するために残された時間、電子的インフォームド・コンセント・プロセスにおける次の段階に到達するための時間、電子的インフォームド・コンセント・プロセスを完了するための合計時間のうちの少なくとも１つを推定するように構成される。例えば、複数のセクションにわたって目を通す平均速度は、時間推定器６１８によって計算されてもよく、電子的インフォームド・コンセント書式の残りの部分を完了するために参加者がどれぐらいの時間を要してもよいかを決定するために用いられてもよい。いくつかの実施形態では、電子的インフォームド・コンセント・プロセスの残りの部分（単数または複数）を完了するために残された時間を決定するために、時間推定器６１８は、これまでに費やされた時間と残りの細かなセグメントに対する所定の予想時間とを足し合わせてもよい。
【００６８】
少なくとも１つの実施形態では、参加者は、前の電子的インフォームド・コンセント・プロセスにおける参加者の参加データに基づいて複数のグループのうちから１つのグループに割り当てられる。ある実施形態では、様々な行動／セクションに対する所定の予想時間が、異なるグループでは異なる。グループは、参加者と関連付けられたパラメータに基づいて形成でき、いくつかの実施形態では、細かなセグメントに類似する。いくつかの実施形態では、時間推定器６１８からの入力に基づいて細かなセグメントにおける参加者のパフォーマンスが参加者から予想されるパフォーマンスに適合しないか、またはそれとは異なると判定されれば、参加者のグループを変更できる。ある実施形態例では、予想されるパフォーマンスが時間の観点から定義され、すなわち、費やされた時間と所定の予想時間との差が閾値を満たさなければ、予想されるパフォーマンスが異なると言われる。閾値は、前のデータに基づいて選択でき、または手作業で供給もしくは修正できて、時間差閾値より少し高くセットできる。
【００６９】
当然のことながら、本開示は、電子的インフォームド・コンセント・プロセスの間に提供される是正措置を考慮して記載されるが、書式管理エンティティが書式を改善するか、および／または余りに長時間を要するセクションもしくは行動を削除するのに有意義な推測を引き出すために、追跡データを後で、すなわち、電子的インフォームド・コンセント・プロセス後に用いることができる。
【００７０】
図７は、ある実施形態例による、電子的インフォームド・コンセント・プロセスを管理するための方法７００のフロー図例を示す。方法７００は、参加者のデバイスおよび／またはコーディネーターのデバイスを組み合わせたシステム２００によって、あるいは、サーバ１１０と参加者のデバイスおよび／またはコーディネーターのデバイスのいずれかとの組み合わせによって行うことができる。方法７００は、７０２で開始する。
【００７１】
方法７００の７０４では、電子的インフォームド・コンセント・プロセスと関連付けられた内容に対して行動を行うときに参加者によって費やされた時間が追跡される。一実施形態では、内容は、電子的インフォームド・コンセント書式の１つ以上のセクションを含む。別の実施形態では、内容は、前に記載されたような細かな内容セクション（例えば、セクション内の個々の質問もしくは文）、またはさらに広い内容セクション（例えば、プロセスフローまたは１つ以上のセクション）を含むことができる。
【００７２】
方法７００の７０６では、行動を行うときに費やされた時間が行動を行うための所定の予想時間と比較される。行動を行うための所定の予想時間は、電子的インフォームド・コンセント書式のセクションに対して行動を行うための過去の記録データ、または電子的インフォームド・コンセント書式のセクションに対して行動を行うための平均時間推定値のうちの少なくとも１つに基づいて決定されてもよい。過去の記録データは、同じ参加者または異なる参加者のものであってもよい。いくつかの実施形態では、参加者が初めての参加者であれば、所定の予想時間は、所定の予想時間として平均時間推定値を含む。いくつかのシナリオでは、所定の予想時間は、参加者、行動、および／または電子的インフォームド・コンセント書式の内容と関連付けられた１つ以上のパラメータを用いて決定される。
【００７３】
方法７００の７０８では、費やされた時間と所定の予想時間との間の差が時間差閾値を満たさなければ、ずれが検出される。
【００７４】
方法７００の７１０では、電子的インフォームド・コンセント・プロセスに対するずれの影響を軽減するために、電子的インフォームド・コンセント・プロセスの間に動作がトリガされる。トリガするステップは、コーディネーターに警告する通知を提供すること、およびいくつかのシナリオでは、是正措置を提供するためにコーディネーターと参加者との間に通信のチャネルを確立することを含む。コーディネーターは、図１を参照して説明されたように、電子的インフォームド・コンセント・プロセスについて参加者を補助することを任されたいずれかの職員であってもよい。コーディネーターに提供される通知は、参加者位置情報、参加者識別情報などのような、参加者の詳細を含んでもよい。いくつかの実施形態では、コーディネーターは、通知を受信すると参加者とのチャットでの会話または電話での会話を始めてもよい。いくつかのシナリオ例では、コーディネーターは、合意プロセスの間に参加者を補助するために参加者と物理的に会ってもよい。一実施形態では、参加者もずれおよび是正措置の利用可能性について警告される。参加者は、是正措置に関する申し出を受け入れるかまたは断ることを選んでもよい。申し出が断られれば、通信のチャネルは確立されない。
【００７５】
方法７００は、７１０で停止する。電子的インフォームド・コンセント・プロセスを管理するための別の方法が図８を参照して説明される。
【００７６】
図８は、別の実施形態例による、電子的インフォームド・コンセント・プロセスを管理するための方法８００のフロー図例を示す。方法８００は、参加者のデバイスと組み合わせたシステム２００によって、またはサーバ１１０と参加者のデバイスのいずれかとの組み合わせによって行うことができる。方法８００は、８０２で開始する。
【００７７】
方法８００の８０４では、電子的インフォームド・コンセント・プロセスの一部として、電子デバイス上で治験の参加者への電子的インフォームド・コンセント書式に対応する内容の表示が進められる。電子的インフォームド・コンセント書式に対応する内容は、いくつかのセクションを含む。
【００７８】
方法８００の８０６では、電子的インフォームド・コンセント書式と関連付けられたセクションに対して行動を行うときに参加者によって費やされた時間が追跡される。
【００７９】
方法８００の８０８では、行動を行うときに費やされた時間が行動を行うための所定の予想時間と比較される。
【００８０】
方法８００の８１０では、費やされた時間と所定の予想時間との間の差が時間差閾値を満たさなければ、ずれが検出される。
【００８１】
８１２では、費やされた時間におけるずれの理由が決定される。費やされた時間におけるずれは、参加者の手の動きおよび／または視線の動きを（手／視線追跡技術を用いて）モニタすることによって決定されてもよい。
【００８２】
方法８００の８１４では、電子的インフォームド・コンセント・プロセスに対するずれの影響を軽減するために、電子的インフォームド・コンセント・プロセスの間に通知がコーディネーターに供給される。通知は、ずれの理由を含む。いくつかの実施形態では、通知は、参加位置情報、参加識別情報、およびコーディネーターが検出されたずれに応答して参加者を補助することを可能にするためのセルフヘルプ・セクションへのリンクも含んでもよい。
【００８３】
方法８００の８１６では、参加者とコーディネーターとの間に、チャット・チャネルのような、通信チャネルが確立される。
【００８４】
方法８００は、８１８で停止する。
【００８５】
開示される方法７００および８００は、コンピュータ実行可能命令を含んだソフトウェアを用いて実装されてもよく、これらの命令は、１つ以上のコンピュータ可読媒体（例えば、非一時的コンピュータ可読媒体、例えば、１つ以上の光媒体ディスク、揮発性メモリ部品（例えば、ＤＲＡＭもしくはＳＲＡＭ）、または不揮発性メモリもしくは記憶部品（例えば、ハードドライブ、もしくはフラッシュメモリ部品のような固体不揮発性メモリ部品）上に記憶されて、コンピュータ（例えば、デバイス中に埋め込まれた任意の適切なコンピュータもしくは画像プロセッサ、例えば、ラップトップコンピュータ、ネットブック、ｗｅｂブック、タブレット・コンピューティングデバイス、スマートフォン、またはモバイルコンピューティングデバイス）上で実行される。かかるソフトウェアは、例えば、単一のローカルコンピュータ上で実行されてもよく、または、１つ以上のネットワークコンピュータを用いてネットワーク環境で（例えば、インターネット、ワイドエリアネットワーク、ローカルエリアネットワーク、リモートｗｅｂベース・サーバ、（クラウドコンピューティング・ネットワークのような）クライアント・サーバネットワーク、または他のかかるネットワークを介して）実行されてもよい。加えて、本開示の方法またはシステムの実装の間に作成され、用いられる中間または最終データのいずれも、１つ以上のコンピュータ可読媒体（例えば、非一時的コンピュータ可読媒体）上に記憶されてもよく、開示される技術の範囲内にあると見做される。そのうえ、ソフトウェア・ベースの実施形態のいずれも、適切な通信手段を通じてアップロードされ、ダウンロードされるか、または遠隔的にアクセスされてもよい。かかる適切な通信手段は、例えば、インターネット、ワールド・ワイド・ウェブ、イントラネット、ソフトウェア・アプリケーション、ケーブル（光ファイバ・ケーブルを含む）、磁気通信、電磁通信（ＲＦ、マイクロ波および赤外通信を含む）、電子通信、または他のかかる通信手段を含む。
【００８６】
図９を次に参照すると、本明細書に記載されるような電子的インフォームド・コンセント・プロセスを管理するための技術の実施形態を実装することが可能な電子デバイス９００の概略ブロック図が示される。図示され、以下に記載されるような電子デバイス９００は、デバイスの１つのタイプを単に例示するに過ぎず、本実施形態の範囲を限定すると理解されるべきではない。そのように、当然のことながら電子デバイス９００に関連して以下に記載される構成要素の少なくともいくつかは、随意的であってもよく、従って、ある実施形態例では、図９の実施形態例に関連して記載された構成要素より多い、少ないか、またはそれらと異なる構成要素を含んでもよい。そのように、例のうちでも特に、電子デバイス９００は、デスクトップコンピュータおよび電子キオスクのような、固定電子デバイスから、例えば、携帯情報端末（ＰＤＡ：ｐｅｒｓｏｎａｌ  ｄｉｇｉｔａｌ  ａｓｓｉｓｔａｎｔ）、モバイルテレビ、セルラーフォン、タブレットコンピュータ、ラップトップ、モバイルコンピュータまたは前述のいずれかの組み合わせのような、モバイル電子デバイスまで、および他のタイプの通信またはマルチメディア・デバイスのうちからのいずれかのデバイスとすることができるであろう。
【００８７】
少なくとも１つの実施形態例では、電子デバイス９００は、参加者デバイスであってもよい。例えば、参加者は、様々な確からしい参加者に対する電子的インフォームド・コンセント・プロセスの実行を委託された、例えば、病院または診療所のような、施設へパーソナル電子デバイスを持参してもよい。かかるシナリオでは、電子的インフォームド・コンセント・プロセスのコーディネーター、例えば、図１を参照して説明されたコーディネーターは、個人的に、または他の補助員を通じて、電子的インフォームドコンセント・アプリケーション（アプリケーション９０６を参照）の参加者のパーソナル電子デバイス上へのローディングを実行してもよい。いくつかのシナリオでは、電子的インフォームドコンセント・アプリケーションは、参加者のパーソナル電子デバイス上にインストールされたｗｅｂブラウザを通じてアクセスされてもよく、または、パーソナル電子デバイス上に記憶されたオンライン・アプリケーションを通じてダウンロードされてもよい。
【００８８】
代わりに、いくつかの実施形態では、施設が、電子的インフォームド・コンセント・アプリケーションが予めインストールされた電子デバイスを参加者に提供してもよい。少なくとも１つの実施形態では、電子デバイス９００は、電子的インフォームド・コンセント・アプリケーションが予めインストールされたキオスク・デバイスに対応してもよい。
【００８９】
なお、電子デバイス９００にインストールされた電子的インフォームド・コンセント・アプリケーションに対応するコンピュータプログラムコードが、電子的インフォームド・コンセント書式と関連付けられた１つ以上のユーザインターフェースを表示するだけでなく、この電子デバイスに様々な機能を行わせるように構成されてもよく、様々な機能は、例えば、電子的インフォームド・コンセント書式と関連付けられたセクションに対して行動を行うときに参加者によって費やされた時間を追跡するステップ、行動を行うときに費やされた時間を行動を行うための所定の予想時間と比較するステップ、費やされた時間と所定の予想時間との間の差が時間差閾値を満たさなければ、ずれを検出するステップ、および電子的インフォームド・コンセント・プロセスに対するずれの影響を軽減するために、電子的インフォームド・コンセント・プロセスの間に動作をトリガするステップのような、電子的インフォームド・コンセント・プロセスを管理するステップと関係付けられる。電子的インフォームド・コンセント・プロセスの管理は、図１から８を参照して説明されたように、電子デバイス９００によって行われてもよく、ここでは再び説明されない。
【００９０】
示された電子デバイス９００は、信号符号化、データ処理、画像処理、入力／出力処理、電力制御、および／または他の機能のような、タスクを行うためのコントローラまたはプロセッサ９０２（例えば、信号プロセッサ、マイクロプロセッサ、ＡＳＩＣ、または他の制御および処理ロジック回路素子）を含む。少なくとも１つの実施形態例では、プロセッサ９０２は、電子的インフォームド・コンセント・プロセスの実行を可能にするために図６のブロック図６００に図示されたモジュールを含んでもよい。オペレーティングシステム９０４は、電子デバイス９００の構成要素の配分および使用法、ならびに、本明細書に記載される革新的な特徴の１つ以上を実装する、電子的インフォームド・コンセント・アプリケーションのような、１つ以上のアプリケーション・プログラム（アプリケーション９０６を参照）に対するサポートを制御する。電子的インフォームド・コンセント・アプリケーションに加えて、アプリケーション９０６は、一般的なモバイルコンピューティング・アプリケーション（例えば、電話アプリケーション、電子メール・アプリケーション、カレンダ、連絡マネージャ、ｗｅｂブラウザ、メッセージング・アプリケーション）または任意の他のコンピューティング・アプリケーションを含んでもよい。
【００９１】
示された電子デバイス９００は、１つ以上のメモリ部品、例えば、非リムーバブルメモリ９０８および／またはリムーバブルメモリ９１０を含む。非リムーバブルメモリ９０８は、ＲＡＭ、ＲＯＭ、フラッシュメモリ、ハードディスク、または他のよく知られたメモリ記憶技術を含むことができる。リムーバブルメモリ９１０は、フラッシュメモリ、スマートカード、または加入者識別モジュール（ＳＩＭ：Ｓｕｂｓｃｒｉｂｅｒ  Ｉｄｅｎｔｉｔｙ  Ｍｏｄｕｌｅ）を含むことができる。オペレーティングシステム９０４およびアプリケーション９０６の作動のためのデータおよび／またはコードを記憶するために、これらの１つ以上のメモリ部品を用いることができる。データの例は、１つ以上の有線または無線ネットワークを介して１つ以上のネットワーク・サーバもしくは他のデバイスへ送られるか、および／またはそれらから受信されることになる、ｗｅｂページ、テキスト、画像、音響ファイル、画像データ、映像データ、または他のデータセットを含むことができる。電子デバイス９００は、ユーザ識別モジュール（ＵＩＭ：Ｕｓｅｒ  Ｉｄｅｎｔｉｔｙ  Ｍｏｄｕｌｅ）９１２をさらに含んでもよい。ＵＩＭ９１２は、内蔵プロセッサを有するメモリデバイスであってもよい。ＵＩＭ９１２は、例えば、ＳＩＭ、ユニバーサル集積回路カード（ＵＩＣＣ：ｕｎｉｖｅｒｓａｌ  ｉｎｔｅｇｒａｔｅｄ  ｃｉｒｃｕｉｔ  ｃａｒｄ）、汎用加入者識別モジュール（ＵＳＩＭ：ｕｎｉｖｅｒｓａｌ  ｓｕｂｓｃｒｉｂｅｒ  ｉｄｅｎｔｉｔｙ  ｍｏｄｕｌｅ）、リムーバブルユーザ識別モジュール（Ｒ−ＵＩＭ：ｒｅｍｏｖａｂｌｅ  ｕｓｅｒ  ｉｄｅｎｔｉｔｙ  ｍｏｄｕｌｅ）、または任意の他のスマートカードを含んでもよい。ＵＩＭ９１２は、典型的に、携帯電話加入者に関する情報要素を記憶する。ＳＩＭカード形式のＵＩＭ９１２は、グローバル・システム・フォー・モバイル・コミュニケーションズ（ＧＳＭ（登録商標）：Ｇｌｏｂａｌ  Ｓｙｓｔｅｍ  ｆｏｒ  Ｍｏｂｉｌｅ  Ｃｏｍｍｕｎｉｃａｔｉｏｎｓ）通信システム、符号分割多元接続（ＣＤＭＡ：Ｃｏｄｅ  Ｄｉｖｉｓｉｏｎ  Ｍｕｌｔｉｐｌｅ  Ａｃｃｅｓｓ）システムにおいて、または第３世代（３Ｇ：ｔｈｉｒｄ−ｇｅｎｅｒａｔｉｏｎ）無線通信プロトコル、例えば、ユニバーサル・モバイル・テレコミュニケーションズ・システム（ＵＭＴＳ：Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）、ＣＤＭＡ９０００、ワイドバンドＣＤＭＡ（ＷＣＤＭＡ（登録商標）：ｗｉｄｅｂａｎｄ  ＣＤＭＡ）および時分割同期ＣＤＭＡ（ＴＤ−ＳＣＤＭＡ：ｔｉｍｅ  ｄｉｖｉｓｉｏｎ−ｓｙｎｃｈｒｏｎｏｕｓ  ＣＤＭＡ）でよく知られている。
【００９２】
電子デバイス９００は、１つ以上の入力デバイス９２０および１つ以上の出力デバイス９３０をサポートできる。入力デバイス９２０の例は、以下には限定されないが、（例えば、指タップ入力、指ジェスチャ入力、複数の指タップ入力、複数の指ジェスチャ入力、またはバーチャルキーボードもしくキーパッドからのキーストローク入力をキャプチャすることが可能な）タッチスクリーン９２２、（例えば、音声入力をキャプチャすることが可能な）マイクロフォン９２４、（例えば、静止画像および／または映像フレームをキャプチャすることが可能な）カメラ・モジュール９２６、ならびに物理的キーボード９２８を含んでもよい。出力デバイス９３０の例は、スピーカ９３２およびディスプレイ９３４を含んでもよいが、それらには限定されない。他の可能な出力デバイス（示されない）は、圧電または他の触覚出力デバイスを含むことができる。いくつかのデバイスが１つより多い入力／出力機能を果たすことができる。例えば、タッチスクリーン９２２およびディスプレイ９３４を単一の入力／出力デバイスに組み合わせることができる。
【００９３】
ある実施形態では、カメラ・モジュール９２６は、参加者の手の動きおよび／または視線の動きの追跡を容易にすることが可能なデジタルカメラを含んでもよい。いくつかの実装では、カメラ・モジュール９２６は、２つ以上のカメラ、例えば、電子デバイス９００の両側に置かれたフロントカメラおよびリアカメラを含んでもよい。そのように、カメラ・モジュール９２６は、レンズまたは他の光学部品（単数または複数）のようなすべてのハードウェアと、画像をキャプチャするため、および／またはキャプチャされた映像から映像ストリームを作成するためのソフトウェアとを含む。代わりに、カメラ・モジュール９２６は、映像を見るために必要なハードウェアを含んでもよく、一方で電子デバイス９００のメモリデバイスは、キャプチャされた映像から映像ストリームを作成するためにプロセッサ９０２による実行のための命令をソフトウェア形式で記憶する。ある実施形態例では、カメラ・モジュール９２６は、プロセッサ９０２が画像フレーム・データを処理するのを補助するコプロセッサのような処理要素と、画像データを圧縮および／または展開するためのエンコーダおよび／またはデコーダとをさらに含んでもよい。ある実施形態では、カメラ・モジュール９２６は、ディスプレイ９３４にライブ画像データ（ファインダー画像データ）を提供してもよい。
【００９４】
ディスプレイ９３４は、電子的インフォームド・コンセント書式と関連付けられた１つ以上のＵＩのような、内容を表示するように構成される。図１０から１２を参照して電子的インフォームド・コンセント書式と関連付けられたＵＩが詳細に説明される。
【００９５】
無線モデム９４０は、１つ以上のアンテナ（図９には示されない）へ連結されて、当技術分野ではよく知られるように、プロセッサ９０２と外部デバイスとの間の双方向通信をサポートすることができる。例えば、通信は、コーディネーターに通知を供給するステップ、参加者とコーディネーターとの間にチャットリンクを確立するステップなどを含んでもよい。無線モデム９４０は、一般的に示され、例えば、モバイル通信ネットワークを用いて遠距離通信を行うためのセルラーモデム９４２、外部Ｂｌｕｅｔｏｏｔｈ装備デバイスもしくはローカル無線データ・ネットワークもしくはルータを用いて短距離通信を行うためのＷｉ−Ｆｉ互換モデム９４４、および／またはＢｌｕｅｔｏｏｔｈコンパチブル・モデム９４６を含むことができる。無線モデム９４０は、典型的に、単一のセルラーネットワーク内、セルラーネットワーク間、またはモバイルデバイスと公衆交換電話網（ＰＳＴＮ：ｐｕｂｌｉｃ  ｓｗｉｔｃｈｅｄ  ｔｅｌｅｐｈｏｎｅ  ｎｅｔｗｏｒｋ）との間のデータおよび音声通信のためのＧＳＭネットワークのような、１つ以上のセルラーネットワークを用いた通信のために構成される。
【００９６】
電子デバイス９００は、さらに、１つ以上の入力／出力ポート９５０、電源９５２、電子デバイス９００の方位もしくは移動を検出するための１つ以上のセンサ９５４、例えば、加速度計、ジャイロスコープ、コンパス、または赤外線近接センサ、（アナログもしくはデジタル信号を無線送信するための）トランシーバ９５６、および／または、ＵＳＢポート、ＩＥＥＥ１３９４（ＦｉｒｅＷｉｒｅ）ポート、および／またはＲＳ−２３２ポートとすることができる、物理的コネクタ９６０を含むことができる。示された構成要素のいずれかを削除できて、他の構成要素を追加できるので、示された構成要素は、必須でもすべてを含むわけでもない。
【００９７】
図１０から１２は、ある実施形態例による、電子デバイス９００のような、電子デバイス上で参加者に表示された電子的インフォームド・コンセント・アプリケーション例のユーザインターフェースを図示する。電子的インフォームド・コンセント・アプリケーションは、いくつかのタブ、例えば、「１．ログインおよびパスワードの作成（Ｃｒｅａｔｉｎｇ  Ｌｏｇｉｎ  ａｎｄ  Ｐａｓｓｗｏｒｄ）」、「２．紹介（Ｉｎｔｒｏｄｕｃｔｉｏｎ）」、「３．一般的な調査概要（Ｇｅｎｅｒａｌ  Ｓｔｕｄｙ  Ｏｖｅｒｖｉｅｗ）」、「４．リスク、利益および代替治療（Ｒｉｓｋｓ，  Ｂｅｎｅｆｉｔｓ  ａｎｄ  Ａｌｔｅｒｎａｔｅ  Ｔｒｅａｔｍｅｎｔｓ）」、「５．研究サイトおよび連絡先情報（Ｒｅｓｅａｒｃｈ  Ｓｉｔｅ  ａｎｄ  Ｃｏｎｔａｃｔ  Ｉｎｆｏｒｍａｔｉｏｎ）」、「６．チェックアップ（Ｃｈｅｃｋ  ｕｐ）」、「７．行動を調査する（Ｓｔｕｄｙ  Ａｃｔｉｖｉｔｉｅｓ）」、「８．調査の終結（Ｔｅｒｍｉｎａｔｉｏｎ  ｏｆ  ｔｈｅ  Ｓｔｕｄｙ）」、「９．チェックアップ（Ｃｈｅｃｋ−ｕｐ）」、「１０．質問および回答（Ｑｕｅｓｔｉｏｎｓ  ａｎｄ  Ａｎｓｗｅｒｓ）」、ならびに「１１．同意（Ｃｏｎｓｅｎｔｉｎｇ）」を示すことが図示される。なお、ここでは説明の目的で電子的インフォームド・コンセント・アプリケーションのタブが図示され、電子的インフォームド・コンセント・アプリケーションは、かかる表現には限定されなくてもよい。
【００９８】
各タブは、対応するユーザインターフェース、例えば、図１０に図示されるタブ「１．ログインおよびパスワードの作成（Ｃｒｅａｔｉｎｇ  Ｌｏｇｉｎ  ａｎｄ  Ｐａｓｓｗｏｒｄ）」と関連するＵＩ１０００、図１１に図示されるタブ「２．紹介（Ｉｎｔｒｏｄｕｃｔｉｏｎ）」と関連するＵＩ１１００、および図１２に図示されるタブ「４．リスク、利益および代替治療（Ｒｉｓｋｓ，  Ｂｅｎｅｆｉｔｓ  ａｎｄ  Ａｌｔｅｒｎａｔｅ  Ｔｒｅａｔｍｅｎｔｓ）」と関連するＵＩ１２００と関連付けられる。電子的インフォームド・コンセント・アプリケーションの様々なタブと関連付けられた内容が一緒に電子的インフォームド・コンセント・プロセスの内容を構成する。いくつかの実施形態では、様々なタブの内容が、実際に、電子的インフォームド・コンセント書式を構成してもよく、参加者は、治験に参加する自らの意志を確認するために内容全体にわたって目を通した後に電子的インフォームド・コンセント書式に署名する。いくつかの実施形態では、各タブに対応する内容が「セクション」であると解釈されてもよく、様々な行動、例えば、読むこと、セクション入力を供給することなどをそれに対して行われてもよい。図１から９を参照して説明されたように、各セクションに対して（または全体的な内容に対して）各行動を行うときに費やされた時間が所定の予想時間と関連付けられてもよい。参加者によって費やされた時間におけるそれぞれの所定の予想時間からのずれが検出されて、電子的インフォームド・コンセント・プロセスのコーディネーターにレポートされてもよい。
【００９９】
先に説明されたように、内容部分またはセクションがゾーンに分類されてもよく、例えば、ログインおよびパスワードの作成に関するセクションは、「快適ゾーン」に分類されてもよく、紹介に関するセクションは、「半快適」ゾーンに分類されてもよく、「リスク、利益および代替治療」に関するセクションは、「不満ゾーン」に分類されてもよい。さらにまた、各ゾーンにおいて行動を行うための所定の予想時間が決定されてもよく、ずれを検出するために、参加者によってそれらの行動を行うときに費やされた実際の時間が比較されてもよい。いくつかの実施形態では、通知を用いてずれがコーディネーターへレポートされてもよい。いくつかの実施形態では、通知は、おそらく、ずれが発生したかまたは検出されたステップ／ページへの言及と、おそらく、ずれが発生しえた考えられる理由、例えば、「参加者がヘルプとこのページとの間を行きつ戻りつした−これは、ユーザが質問を理解し損ねたことを意味しうるであろう」の反復とを含めて、コーディネーターへ送られてもよく、この情報は、参加者による想定質問に対してコーディネーターが自ら備えるのを助けるであろう。加えて、参加者への迅速な援助を容易にするために、関連するヘルプ・セクションへのリンクがコーディネーターに提供されてもよい。なお、参加者が電子的インフォームド・コンセントのプロセス中のいずれの段階でもコーディネーターとのインタラクションを始めてもよい。例えば、参加者は、コーディネーターとのインタラクションを始めるために、テキスト「質問がある（Ｉ  ｈａｖｅ  ｓｏｍｅ  ｑｕｅｓｔｉｏｎｓ  ｔｏ  ａｓｋ）」をＵＩ１１００および１２００上に表示している選択肢１０５０を電子的インフォームド・コンセント・プロセス中のいずれの段階でもクリックしてもよい。
【０１００】
様々な実施形態例は、利益のうちでも特に、治験における電子的インフォームド・コンセント・プロセスを管理するための技術を提供する。本明細書に開示される方法およびシステムは、従来のメカニズムのいくつかの欠点を克服し、それによって、参加者のより良好な募集および維持をサポートする。本明細書に提案されるような電子的インフォームド・コンセント・プロセスは、電子的インフォームド・コンセント・プロセス中に参加者およびコーディネーターの両方が関与することに起因してインタラクティブである。
【０１０１】
様々な実施形態において、参加者の行動を追跡するステップは、参加者が内容に係って、内容を消費したことを保証する。動作のリアルタイム・トリガリングは、コーディネーターが参加者の問題を解決して、参加者の時間を節約することを可能にする。加えて、コーディネーターは、参加者が消費しているセクションを知っているので、質問を予期してもよく、参加者の問題解決に向けて準備を整えもよい。電子的インフォームド・コンセント・プロセスの間に是正措置が取られるため、参加者も安心に感じる。加えて、電子的インフォームド・コンセント・プロセスの間に是正措置が取られるので、全体的な電子的インフォームド・コンセント・プロセスが効率的になる。
【０１０２】
なお、本明細書に記載されるような様々な実施形態例が多種多様なデバイス、ネットワーク構成およびアプリケーションに実装されてもよい。
【０１０３】
コンピューティング・ベース・デバイスによってアクセス可能な任意のコンピュータ可読媒体を用いて、コンピュータ実行可能命令が提供されてもよい。コンピュータ可読媒体は、例えば、メモリおよび通信媒体のようなコンピュータ記憶媒体を含んでもよい。コンピュータ記憶媒体、例えば、メモリは、コンピュータ可読命令、データ構造、プログラムモジュールなどのような情報の記憶のためにいずれかの方法または技術で実装された揮発性および不揮発性、リムーバブルおよび非リムーバブル媒体を含む。コンピュータ記憶媒体は、以下には限定されないが、ＲＡＭ、ＲＯＭ、ＥＰＲＯＭ、ＥＥＰＲＯＭ、フラッシュメモリもしくは他のメモリ技術、ＣＤ−ＲＯＭ、デジタルバーサタイルディスク（ＤＶＤ）、または他の光記憶装置、磁気カセット、磁気テープ、磁気ディスク記憶装置もしくは他の磁気記憶デバイス、あるいはコンピューティングデバイスによるアクセス用に情報を記憶するために用いられてもよい任意の他の非伝送媒体を含む。対照的に、通信媒体は、搬送波のような変調データ信号か、または他の搬送メカニズム中にコンピュータ可読命令、データ構造、プログラムモジュールなどを具現化してもよい。本明細書において定義されるように、コンピュータ記憶媒体は、通信媒体を含まない。それゆえに、コンピュータ記憶媒体は、自ら信号を伝搬していると解釈されるべきではない。コンピュータ記憶媒体がコンピューティング・ベース・デバイス内に示されるが、記憶装置は、分散されるかまたは遠隔的に位置して、例えば、通信インターフェースを用いることによりネットワークまたは他の通信リンクを介してアクセスされてもよいことが理解されよう。
【０１０４】
本明細書に記載される方法は、有形記憶媒体上の機械可読形式のソフトウェアによって、例えば、コンピュータ上でプログラムが作動されたときに本明細書に記載されるいずれかの方法のすべてのオペレーションを行うようになっているコンピュータプログラムコード手段を備えるコンピュータプログラムの形式のソフトウェアによって行われてもよく、このコンピュータプログラムがコンピュータ可読媒体上に具現化されてもよい。有形記憶媒体の例は、ディスク、サムドライブ、メモリなどのようなコンピュータ記憶デバイスを含む。方法のオペレーションが任意の適切な順序か、または同時に実施されてもよいように、ソフトウェアは、パラレルプロセッサまたはシリアルプロセッサ上で実行するのに適することができる。
【０１０５】
代わりに、または加えて、本明細書に記載される機能性（例えば、電子的インフォームド・コンセント書式管理命令）を、少なくとも部分的に、１つ以上のハードウェア論理部品によって行うことができる。例えば、限定なしに、用いることができるハードウェア論理部品の実例となるタイプは、フィールドプログラマブルゲートアレイ（ＦＰＧＡ：Ｆｉｅｌｄ−ｐｒｏｇｒａｍｍａｂｌｅ  Ｇａｔｅ  Ａｒｒａｙ）、特定プログラム向け集積回路（ＡＳＩＣ：Ｐｒｏｇｒａｍ−ｓｐｅｃｉｆｉｃ  Ｉｎｔｅｇｒａｔｅｄ  Ｃｉｒｃｕｉｔ）、特定プログラム向け標準製品（ＡＳＳＰ：Ｐｒｏｇｒａｍ−ｓｐｅｃｉｆｉｃ  Ｓｔａｎｄａｒｄ  Ｐｒｏｄｕｃｔ）、システムオンチップ・システム（ＳＯＣ：Ｓｙｓｔｅｍ−ｏｎ−ａ−ｃｈｉｐ  ｓｙｓｔｅｍ）、コンプレックスプログラマブルロジックデバイス（ＣＰＬＤ：Ｃｏｍｐｌｅｘ  Ｐｒｏｇｒａｍｍａｂｌｅ  Ｌｏｇｉｃ  Ｄｅｖｉｃｅ）、グラフィックス処理ユニット（ＧＰＵ：Ｇｒａｐｈｉｃｓ  Ｐｒｏｃｅｓｓｉｎｇ  Ｕｎｉｔ）を含む。例えば、デバイス機能または方法のシーケンスのいくつかまたはすべてが１つ以上のハードウェア論理部品によって行われてもよい。
【０１０６】
本明細書に示され、記載される実施形態、ならびに本明細書には具体的に記載されないが本発明の態様の範囲内にある実施形態が電子的インフォームド・コンセント・プロセスを管理するための例示的なシステム手段を構成する。例えば、図１および１１を参照して示され、記載された要素は、プロセッサ２０２およびメモリ２０４におけるプログラムコードの制御の下で、図３、４、５、６、７および８を参照して示され、記載されたオペレーションを行うように構成されたときに、電子的インフォームド・コンセント・プロセスと関連付けられた内容に対して行動を行うときに参加者によって費やされた時間を追跡し、行動を行うときに費やされた時間を行動を行うための所定の予想時間と比較し、費やされた時間と所定の予想時間との間の差が時間差閾値を満たさなければ、ずれを検出して、電子的インフォームド・コンセント・プロセスに対するずれの影響を軽減するために、電子的インフォームド・コンセント・プロセスの間に動作をトリガするための、例示的な電子的インフォームド・コンセント処理アプリケーション手段を構成する。
【０１０７】
先に記載された利益および利点は、１つの実施形態に関係してもよく、またはいくつかの実施形態に関係してもよい。これらの実施形態は、明記された問題のいずれかまたはすべてを解決する実施形態には限定されず、明記された利益および利点のいずれかまたはすべてを有する実施形態にも限定されない。
【０１０８】
本明細書に記載される方法のオペレーションは、任意の然るべき順序で、または適切な場合には同時に実施されてもよい。加えて、個々のブロックは、本明細書に記載される主題の精神および範囲から逸脱することなく、いずれかの方法に追加されても、またはそれらから削除されてもよい。追究される効果を喪失することなくさらなる例を形成するために、先に記載されたいずれかの例の態様が記載された他のいずれかの例の態様と組み合わされてもよい。
【０１０９】
先の記載は、例によって示されたに過ぎず、当業者によって様々な修正がなされてもよい。先の明細書、例およびデータは、例示的な実施形態の構造および使用の完全な記述を提供する。様々な実施形態が、ある程度詳細に、または１つ以上の個々の実施形態を参照して先に記載されたが、当業者であれば、本明細書の精神または範囲から逸脱することなく、開示された実施形態に多くの変更を行うことができるであろう。
【図１】
2018022479.tif 000003
【図２】
2018022479.tif 000004
【図３】
2018022479.tif 000005
【図４】
2018022479.tif 000006
【図５】
2018022479.tif 000007
【図６】
2018022479.tif 000008
【図７】
2018022479.tif 000009
【図８】
2018022479.tif 000010
【図９】
2018022479.tif 000011
【図１０】
2018022479.tif 000012
【図１１】
2018022479.tif 000013
【図１２】
2018022479.tif 000014
【外国語明細書】
2018022479000001.pdf